(57)【要約】【課題】所望するＰＯＩが所望の程度存在するような推奨縮尺を提示することができる、施設情報提供装置、施設情報提供システム、サーバ装置、端末装置、施設情報提供方法、および、プログラムを提供することを課題とする。【解決手段】本発明は、地図情報、および、少なくとも施設の地点情報およびカテゴリ情報を含む施設情報を記憶し、利用者により入力部を介してカテゴリが入力されるよう制御し、記憶する施設情報に基づいて、入力されたカテゴリに該当する所定数の施設が表示領域に含まれる地図情報の縮尺を推奨縮尺として算出し、算出した推奨縮尺を出力部を介して出力させる。【選択図】図１
2012163738.tif 000002
【特許請求の範囲】
【請求項１】
入力部と出力部と記憶部と制御部とを少なくとも備えた施設情報提供装置であって、
上記記憶部は、
地図情報を記憶する地図情報記憶手段と、
少なくとも施設の地点情報およびカテゴリ情報を含む施設情報を記憶する施設情報記憶手段と、
を備え、
上記制御部は、
利用者により上記入力部を介してカテゴリが入力されるよう制御するカテゴリ入力制御手段と、
上記施設情報記憶手段に記憶された上記施設情報に基づいて、上記カテゴリ入力制御手段の制御により入力された上記カテゴリに該当する所定数の上記施設が表示領域に含まれる上記地図情報の縮尺を推奨縮尺として算出する推奨縮尺算出手段と、
上記推奨縮尺算出手段により算出された上記推奨縮尺を上記出力部を介して出力させる推奨縮尺出力手段と、
を備えたことを特徴とする、施設情報提供装置。
【請求項２】
請求項１に記載の施設情報提供装置において、
上記制御部は、
上記地図情報の縮尺値を指定させるためのスライドバーを上記出力部に表示させ、利用者により上記入力部を介して上記スライドバー上で指定された位置に対応する上記縮尺値を取得する縮尺入力制御手段、
を更に備え、
上記推奨縮尺出力手段は、
上記推奨縮尺算出手段により算出された上記推奨縮尺に対応する上記スライドバー上の位置を強調表示させることを特徴とする、施設情報提供装置。
【請求項３】
請求項１に記載の施設情報提供装置において、
上記制御部は、
上記地図情報の縮尺値を指定させるために一列に並んだ複数のオブジェクトを上記出力部に表示させ、利用者により上記入力部を介して選択された上記オブジェクトに対応する上記縮尺値を取得する縮尺入力制御手段、
を更に備え、
上記推奨縮尺出力手段は、
上記推奨縮尺算出手段により算出された上記推奨縮尺に対応する上記オブジェクトを強調表示させることを特徴とする、施設情報提供装置。
【請求項４】
請求項２または３に記載の施設情報提供装置において、
上記制御部は、
上記推奨縮尺算出手段により算出された上記推奨縮尺に対応する上記表示領域に含まれる上記施設の上記施設情報を出力用に編集する施設情報編集手段と、
上記施設情報編集手段により編集された上記施設情報を、上記出力部に出力する施設情報出力手段と、
を更に備えたことを特徴とする、施設情報提供装置。
【請求項５】
請求項２または３に記載の施設情報提供装置において、
上記制御部は、
上記縮尺入力制御手段の制御により入力された上記縮尺値に基づいて、検索範囲を設定する検索範囲設定手段と、
上記検索範囲設定手段により設定された上記検索範囲内の上記施設を検索する施設検索手段と、
上記施設検索手段により検索された上記施設の上記施設情報を出力用に編集する施設情報編集手段と、
上記施設情報編集手段により編集された上記施設情報を、上記出力部に出力する施設情報出力手段と、
を更に備えたことを特徴とする、施設情報提供装置。
【請求項６】
入力部と出力部と制御部とを少なくとも備えた端末装置、および、記憶部と制御部とを少なくとも備えたサーバ装置、を通信可能に接続した施設情報提供システムにおいて、
上記サーバ装置の上記記憶部は、
地図情報を記憶する地図情報記憶手段と、
少なくとも施設の地点情報およびカテゴリ情報を含む施設情報を記憶する施設情報記憶手段と、
を備え、
上記サーバ装置の上記制御部は、
上記端末装置から送信される、カテゴリ情報を受信するカテゴリ情報受信手段と、
上記施設情報記憶手段に記憶された上記施設情報に基づいて、上記カテゴリ情報受信手段により受信された上記カテゴリ情報が示すカテゴリに該当する所定数の上記施設が表示領域に含まれる上記地図情報の縮尺を推奨縮尺として算出する推奨縮尺算出手段と、
上記推奨縮尺算出手段により算出された上記推奨縮尺を示す推奨縮尺情報を、上記端末装置に送信する推奨縮尺情報送信手段と、
を備え、
上記端末装置の上記制御部は、
利用者により上記入力部を介して上記カテゴリが入力されるよう制御するカテゴリ入力制御手段と、
上記カテゴリ入力制御手段の制御により入力された上記カテゴリを示す上記カテゴリ情報を、上記サーバ装置に送信するカテゴリ情報送信手段と、
上記サーバ装置から送信される、上記推奨縮尺情報を受信する推奨縮尺情報受信手段と、
上記推奨縮尺情報受信手段により受信された上記推奨縮尺情報を、上記出力部に出力する推奨縮尺出力手段と、
を備えたことを特徴とする、施設情報提供システム。
【請求項７】
地図情報を記憶する地図情報記憶手段と、
少なくとも施設の地点情報およびカテゴリ情報を含む施設情報を記憶する施設情報記憶手段と、
利用者により入力部を介してカテゴリが入力されるよう制御するカテゴリ入力制御手段と、
上記施設情報記憶手段に記憶された上記施設情報に基づいて、上記カテゴリ入力制御手段の制御により入力された上記カテゴリに該当する所定数の上記施設が表示領域に含まれる上記地図情報の縮尺を推奨縮尺として算出する推奨縮尺算出手段と、
上記推奨縮尺算出手段により算出された上記推奨縮尺を、出力部を介して出力する推奨縮尺出力手段と、
を備えたことを特徴とする、施設情報提供システム。
【請求項８】
入力部と出力部とを少なくとも備えた端末装置に通信可能に接続された、記憶部と制御部とを少なくとも備えたサーバ装置において、
上記記憶部は、
地図情報を記憶する地図情報記憶手段と、
少なくとも施設の地点情報およびカテゴリ情報を含む施設情報を記憶する施設情報記憶手段と、
を備え、
上記制御部は、
上記端末装置から送信される、利用者により上記入力部を介して入力されたカテゴリを示すカテゴリ情報を受信するカテゴリ情報受信手段と、
上記施設情報記憶手段に記憶された上記施設情報に基づいて、上記カテゴリ情報受信手段により受信された上記カテゴリ情報が示すカテゴリに該当する所定数の上記施設が表示領域に含まれる上記地図情報の縮尺を推奨縮尺として算出する推奨縮尺算出手段と、
上記推奨縮尺算出手段により算出された上記推奨縮尺を示す推奨縮尺情報を、上記端末装置に送信することにより、上記端末装置の上記出力部から出力させる推奨縮尺情報送信手段と、
を備えたことを特徴とする、サーバ装置。
【請求項９】
入力部と出力部とを少なくとも備えた端末装置に通信可能に接続された、記憶部と制御部とを少なくとも備えたサーバ装置において、
上記記憶部は、
地図情報を記憶する地図情報記憶手段と、
少なくとも施設の地点情報およびカテゴリ情報を含む施設情報を記憶する施設情報記憶手段と、
を備え、
上記制御部は、
上記端末装置から送信される、利用者により上記入力部を介して入力されたカテゴリを示すカテゴリ情報を受信するカテゴリ情報受信手段と、
上記施設情報記憶手段に記憶された上記施設情報に基づいて、上記カテゴリ情報受信手段により受信された上記カテゴリ情報が示す上記カテゴリに該当する所定数の上記施設が表示領域に含まれる上記地図情報の縮尺を推奨縮尺として算出する推奨縮尺算出手段と、
上記推奨縮尺算出手段により算出された上記推奨縮尺を含む表示画面を生成する表示画面生成手段と、
上記表示画面生成手段により生成された上記表示画面を表示させるための出力制御情報を上記端末装置に送信することにより、上記端末装置の上記出力部から出力させる出力制御手段と、
を備えたことを特徴とする、サーバ装置。
【請求項１０】
記憶部を少なくとも備えたサーバ装置に通信可能に接続された、入力部と出力部と制御部とを少なくとも備えた端末装置において、
上記記憶部は、
地図情報を記憶する地図情報記憶手段と、
少なくとも施設の地点情報およびカテゴリ情報を含む施設情報を記憶する施設情報記憶手段と、
を備え、
上記制御部は、
利用者により上記入力部を介してカテゴリが入力されるよう制御するカテゴリ入力制御手段と、
上記カテゴリ入力制御手段の制御により入力された上記カテゴリを示す上記カテゴリ情報を、上記サーバ装置に送信するカテゴリ情報送信手段と、
上記サーバ装置から送信される、上記施設情報記憶手段に記憶された上記施設情報に基づいて算出された、上記カテゴリ情報が示す上記カテゴリに該当する所定数の上記施設が表示領域に含まれる上記地図情報の推奨縮尺を示す推奨縮尺情報を受信する推奨縮尺情報受信手段と、
上記推奨縮尺情報受信手段により受信された上記推奨縮尺情報を、上記出力部に出力する推奨縮尺出力手段と、
を備えたことを特徴とする、端末装置。
【請求項１１】
入力部と出力部と記憶部と制御部とを少なくとも備えた施設情報提供装置において実行される施設情報提供方法であって、
上記記憶部は、
地図情報を記憶する地図情報記憶手段と、
少なくとも施設の地点情報およびカテゴリ情報を含む施設情報を記憶する施設情報記憶手段と、
を備え、
上記制御部において実行される、
利用者により上記入力部を介してカテゴリが入力されるよう制御するカテゴリ入力制御ステップと、
上記施設情報記憶手段に記憶された上記施設情報に基づいて、上記カテゴリ入力制御ステップにおける制御により入力された上記カテゴリに該当する所定数の上記施設が表示領域に含まれる上記地図情報の縮尺を推奨縮尺として算出する推奨縮尺算出ステップと、
上記推奨縮尺算出ステップにて算出された上記推奨縮尺を上記出力部を介して出力させる推奨縮尺出力ステップと、
を含むことを特徴とする、施設情報提供方法。
【請求項１２】
入力部と出力部と制御部とを少なくとも備えた端末装置、および、記憶部と制御部とを少なくとも備えたサーバ装置、を通信可能に接続した施設情報提供システムにおいて実行される施設情報提供方法であって、
上記サーバ装置の上記記憶部は、
地図情報を記憶する地図情報記憶手段と、
少なくとも施設の地点情報およびカテゴリ情報を含む施設情報を記憶する施設情報記憶手段と、
を備え、
上記端末装置の上記制御部において実行される、
利用者により上記入力部を介してカテゴリが入力されるよう制御するカテゴリ入力制御ステップと、
上記端末装置の上記制御部において実行される、
上記カテゴリ入力制御ステップにおける制御により入力された上記カテゴリを示す上記カテゴリ情報を、上記サーバ装置に送信するカテゴリ情報送信ステップと、
上記サーバ装置の上記制御部において実行される、
上記端末装置から送信される、上記カテゴリ情報を受信するカテゴリ情報受信ステップと、
上記サーバ装置の上記制御部において実行される、
上記施設情報記憶手段に記憶された上記施設情報に基づいて、上記カテゴリ情報受信ステップにて受信された上記カテゴリ情報が示す上記カテゴリに該当する所定数の上記施設が表示領域に含まれる上記地図情報の縮尺を推奨縮尺として算出する推奨縮尺算出ステップと、
上記サーバ装置の上記制御部において実行される、
上記推奨縮尺算出ステップにて算出された上記推奨縮尺を示す推奨縮尺情報を、上記端末装置に送信する推奨縮尺情報送信ステップと、
上記端末装置の上記制御部において実行される、
上記サーバ装置から送信される、上記推奨縮尺情報を受信する推奨縮尺情報受信ステップと、
上記端末装置の上記制御部において実行される、
上記推奨縮尺情報受信ステップにて受信された上記推奨縮尺情報を、上記出力部に出力する推奨縮尺出力ステップと、
を含むことを特徴とする、施設情報提供方法。
【請求項１３】
地図情報を記憶する地図情報記憶手段と、少なくとも施設の地点情報およびカテゴリ情報を含む施設情報を記憶する施設情報記憶手段と、カテゴリ入力制御手段と、推奨縮尺算出手段と、推奨縮尺出力手段と、を備えた施設情報提供システムにおいて実行される施設情報提供方法であって、
上記カテゴリ入力制御手段が、利用者により入力部を介してカテゴリが入力されるよう制御するカテゴリ入力制御ステップと、
上記推奨縮尺算出手段が、上記施設情報記憶手段に記憶された上記施設情報に基づいて、上記カテゴリ入力制御ステップにおける制御により入力された上記カテゴリに該当する所定数の上記施設が表示領域に含まれる上記地図情報の縮尺を推奨縮尺として算出する推奨縮尺算出ステップと、
上記推奨縮尺出力手段が、上記推奨縮尺算出ステップにて算出された上記推奨縮尺を、出力部を介して出力する推奨縮尺出力ステップと、
を含むことを特徴とする、施設情報提供方法。
【請求項１４】
入力部と出力部とを少なくとも備えた端末装置に通信可能に接続された、記憶部と制御部とを少なくとも備えたサーバ装置において実行される施設情報提供方法であって、
上記記憶部は、
地図情報を記憶する地図情報記憶手段と、
少なくとも施設の地点情報およびカテゴリ情報を含む施設情報を記憶する施設情報記憶手段と、
を備え、
上記制御部において実行される、
上記端末装置から送信される、利用者により上記入力部を介して入力されたカテゴリを示すカテゴリ情報を受信するカテゴリ情報受信ステップと、
上記施設情報記憶手段に記憶された上記施設情報に基づいて、上記カテゴリ情報受信ステップにて受信された上記カテゴリ情報が示す上記カテゴリに該当する所定数の上記施設が表示領域に含まれる上記地図情報の縮尺を推奨縮尺として算出する推奨縮尺算出ステップと、
上記推奨縮尺算出ステップにて算出された上記推奨縮尺を示す推奨縮尺情報を、上記端末装置に送信することにより、上記端末装置の上記出力部から出力させる推奨縮尺情報送信ステップと、
を含むことを特徴とする、施設情報提供方法。
【請求項１５】
入力部と出力部とを少なくとも備えた端末装置に通信可能に接続された、記憶部と制御部とを少なくとも備えたサーバ装置において実行される施設情報提供方法であって、
上記記憶部は、
地図情報を記憶する地図情報記憶手段と、
少なくとも施設の地点情報およびカテゴリ情報を含む施設情報を記憶する施設情報記憶手段と、
を備え、
上記制御部において実行される、
上記端末装置から送信される、利用者により上記入力部を介して入力されたカテゴリを示すカテゴリ情報を受信するカテゴリ情報受信ステップと、
上記施設情報記憶手段に記憶された上記施設情報に基づいて、上記カテゴリ情報受信ステップにて受信された上記カテゴリ情報が示す上記カテゴリに該当する所定数の上記施設が表示領域に含まれる上記地図情報の縮尺を推奨縮尺として算出する推奨縮尺算出ステップと、
上記推奨縮尺算出ステップにて算出された上記推奨縮尺を含む表示画面を生成する表示画面生成ステップと、
上記表示画面生成ステップにて生成された上記表示画面を表示させるための出力制御情報を上記端末装置に送信することにより、上記端末装置の上記出力部から出力させる出力制御ステップと、
を含むことを特徴とする、施設情報提供方法。
【請求項１６】
記憶部を少なくとも備えたサーバ装置に通信可能に接続された、入力部と出力部と制御部とを少なくとも備えた端末装置において実行される施設情報提供方法であって、
上記記憶部は、
地図情報を記憶する地図情報記憶手段と、
少なくとも施設の地点情報およびカテゴリ情報を含む施設情報を記憶する施設情報記憶手段と、
を備え、
上記制御部において実行される、
利用者により上記入力部を介してカテゴリが入力されるよう制御するカテゴリ入力制御ステップと、
上記カテゴリ入力制御ステップにおける制御により入力された上記カテゴリを示す上記カテゴリ情報を、上記サーバ装置に送信するカテゴリ情報送信ステップと、
上記サーバ装置から送信される、上記施設情報記憶手段に記憶された上記施設情報に基づいて算出された、上記カテゴリ情報が示す上記カテゴリに該当する所定数の上記施設が表示領域に含まれる上記地図情報の推奨縮尺を示す推奨縮尺情報を受信する推奨縮尺情報受信ステップと、
上記推奨縮尺情報受信ステップにて受信された上記推奨縮尺情報を、上記出力部に出力する推奨縮尺出力ステップと、
を含むことを特徴とする、施設情報提供方法。
【請求項１７】
入力部と出力部と記憶部と制御部とを少なくとも備えた施設情報提供装置に実行させるためのプログラムであって、
上記記憶部は、
地図情報を記憶する地図情報記憶手段と、
少なくとも施設の地点情報およびカテゴリ情報を含む施設情報を記憶する施設情報記憶手段と、
を備え、
上記制御部において、
利用者により上記入力部を介してカテゴリが入力されるよう制御するカテゴリ入力制御ステップと、
上記施設情報記憶手段に記憶された上記施設情報に基づいて、上記カテゴリ入力制御ステップにおける制御により入力された上記カテゴリに該当する所定数の上記施設が表示領域に含まれる上記地図情報の縮尺を推奨縮尺として算出する推奨縮尺算出ステップと、
上記推奨縮尺算出ステップにて算出された上記推奨縮尺を上記出力部を介して出力させる推奨縮尺出力ステップと、
を実行させるためのプログラム。
【請求項１８】
入力部と出力部とを少なくとも備えた端末装置に通信可能に接続された、記憶部と制御部とを少なくとも備えたサーバ装置に実行させるためのプログラムであって、
上記記憶部は、
地図情報を記憶する地図情報記憶手段と、
少なくとも施設の地点情報およびカテゴリ情報を含む施設情報を記憶する施設情報記憶手段と、
を備え、
上記制御部において、
上記端末装置から送信される、利用者により上記入力部を介して入力されたカテゴリを示すカテゴリ情報を受信するカテゴリ情報受信ステップと、
上記施設情報記憶手段に記憶された上記施設情報に基づいて、上記カテゴリ情報受信ステップにて受信された上記カテゴリ情報が示すカテゴリに該当する所定数の上記施設が表示領域に含まれる上記地図情報の縮尺を推奨縮尺として算出する推奨縮尺算出ステップと、
上記推奨縮尺算出ステップにて算出された上記推奨縮尺を示す推奨縮尺情報を、上記端末装置に送信することにより、上記端末装置の上記出力部から出力させる推奨縮尺情報送信ステップと、
を実行させるためのプログラム。
【請求項１９】
入力部と出力部とを少なくとも備えた端末装置に通信可能に接続された、記憶部と制御部とを少なくとも備えたサーバ装置に実行させるためのプログラムであって、
上記記憶部は、
地図情報を記憶する地図情報記憶手段と、
少なくとも施設の地点情報およびカテゴリ情報を含む施設情報を記憶する施設情報記憶手段と、
を備え、
上記制御部において、
上記端末装置から送信される、利用者により上記入力部を介して入力されたカテゴリを示すカテゴリ情報を受信するカテゴリ情報受信ステップと、
上記施設情報記憶手段に記憶された上記施設情報に基づいて、上記カテゴリ情報受信ステップにて受信された上記カテゴリ情報が示す上記カテゴリに該当する所定数の上記施設が表示領域に含まれる上記地図情報の縮尺を推奨縮尺として算出する推奨縮尺算出ステップと、
上記推奨縮尺算出ステップにて算出された上記推奨縮尺を含む表示画面を生成する表示画面生成ステップと、
上記表示画面生成ステップにて生成された上記表示画面を表示させるための出力制御情報を上記端末装置に送信することにより、上記端末装置の上記出力部から出力させる出力制御ステップと、
を実行させるためのプログラム。
【請求項２０】
記憶部を少なくとも備えたサーバ装置に通信可能に接続された、入力部と出力部と制御部とを少なくとも備えた端末装置に実行させるためのプログラムであって、
上記記憶部は、
地図情報を記憶する地図情報記憶手段と、
少なくとも施設の地点情報およびカテゴリ情報を含む施設情報を記憶する施設情報記憶手段と、
を備え、
上記制御部において、
利用者により上記入力部を介してカテゴリが入力されるよう制御するカテゴリ入力制御ステップと、
上記カテゴリ入力制御ステップにおける制御により入力された上記カテゴリを示す上記カテゴリ情報を、上記サーバ装置に送信するカテゴリ情報送信ステップと、
上記サーバ装置から送信される、上記施設情報記憶手段に記憶された上記施設情報に基づいて算出された、上記カテゴリ情報が示す上記カテゴリに該当する所定数の上記施設が表示領域に含まれる上記地図情報の推奨縮尺を示す推奨縮尺情報を受信する推奨縮尺情報受信ステップと、
上記推奨縮尺情報受信ステップにて受信された上記推奨縮尺情報を、上記出力部に出力する推奨縮尺出力ステップと、
を実行させるためのプログラム。
【発明の詳細な説明】
【技術分野】
【０００１】
本発明は、施設情報提供装置、施設情報提供システム、サーバ装置、端末装置、施設情報提供方法、および、プログラムに関する。
【背景技術】
【０００２】
従来、ＰＯＩの周辺検索等により近くのＰＯＩを抽出して表示する技術が開発されている。
【０００３】
例えば、特許文献１においては、中心から近距離のＰＯＩを抽出し、ＰＯＩ同士が近いものはまとめて代表アイコンで表示することにより、近接する複数のＰＯＩを一つのアイコンで整理統合して表示する地図表示システムが開示されている。さらに、特許文献１の地図表示システムでは、さらに代表アイコンが選択された場合に、まとめられた施設が一覧表示されることが開示されている。
【０００４】
また、特許文献２においては、周辺施設探索中に現在位置周辺の地図を表示するとともに、探索されたＰＯＩの位置を示すマークを地図上に表示する技術が開示されている。
【０００５】
また、特許文献３においては、周辺探索のカテゴリを表すオブジェクトを画面上に表示し、当該オブジェクト画像を地図上にドラッグアンドドロップすることにより、該当するカテゴリのＰＯＩを検索する地図表示システムが開示されている。
【先行技術文献】
【特許文献】
【０００６】
【特許文献１】特開２００９−６９４０３号公報
【特許文献２】特開２００３−１４８９７４号公報
【特許文献３】国際公開第２００７／０９７０３７号
【発明の概要】
【発明が解決しようとする課題】
【０００７】
しかしながら、従来のＰＯＩ抽出技術においては、所望する検索条件でＰＯＩを検索してみて現在表示等している地図上にどれだけＰＯＩがあるかを把握するものであり、所望するＰＯＩが所望の程度ない場合には、再度、表示エリアや縮尺を変更するなどして再検索する必要があるという問題点を有していた。
【０００８】
例えば、特許文献１においては、ＰＯＩ数が多い地域ではアイコンが多すぎて地図の視認性が低下する一方、ＰＯＩが少ない地域ではアイコンが全く表示されない等の問題点を有していた。
【０００９】
また、特許文献２においては、テキストベースの周辺検索を行っており、利用者が直感的に現在位置からの位置関係を理解しにくいという問題点を有していた。
【００１０】
また、特許文献３においては、周辺検索により細分化されたカテゴリを表示するために、大分類から小分類へと階層を繰り返し探索する必要があり、利用者に煩雑な操作を強いるという問題点を有していた。
【００１１】
本発明は、上記問題点等に鑑みてなされたもので、所望するＰＯＩが所望の程度存在するような推奨縮尺を提示することができる、施設情報提供装置、施設情報提供システム、サーバ装置、端末装置、施設情報提供方法、および、プログラムを提供することを目的とする。
【課題を解決するための手段】
【００１２】
このような目的を達成するため、本発明の施設情報提供装置は、入力部と出力部と記憶部と制御部とを少なくとも備えた施設情報提供装置であって、上記記憶部は、地図情報を記憶する地図情報記憶手段と、少なくとも施設の地点情報およびカテゴリ情報を含む施設情報を記憶する施設情報記憶手段と、を備え、上記制御部は、利用者により上記入力部を介してカテゴリが入力されるよう制御するカテゴリ入力制御手段と、上記施設情報記憶手段に記憶された上記施設情報に基づいて、上記カテゴリ入力制御手段の制御により入力された上記カテゴリに該当する所定数の上記施設が表示領域に含まれる上記地図情報の縮尺を推奨縮尺として算出する推奨縮尺算出手段と、上記推奨縮尺算出手段により算出された上記推奨縮尺を上記出力部を介して出力させる推奨縮尺出力手段と、を備えたことを特徴とする。
【００１３】
また、本発明の施設情報提供装置は、上記記載の施設情報提供装置において、上記制御部は、上記地図情報の縮尺値を指定させるためのスライドバーを上記出力部に表示させ、利用者により上記入力部を介して上記スライドバー上で指定された位置に対応する上記縮尺値を取得する縮尺入力制御手段、を更に備え、上記推奨縮尺出力手段は、上記推奨縮尺算出手段により算出された上記推奨縮尺に対応する上記スライドバー上の位置を強調表示させることを特徴とする。
【００１４】
また、本発明の施設情報提供装置は、上記記載の施設情報提供装置において、上記制御部は、上記地図情報の縮尺値を指定させるために一列に並んだ複数のオブジェクトを上記出力部に表示させ、利用者により上記入力部を介して選択された上記オブジェクトに対応する上記縮尺値を取得する縮尺入力制御手段、を更に備え、上記推奨縮尺出力手段は、上記推奨縮尺算出手段により算出された上記推奨縮尺に対応する上記オブジェクトを強調表示させることを特徴とする。
【００１５】
また、本発明の施設情報提供装置は、上記記載の施設情報提供装置において、上記制御部は、上記推奨縮尺算出手段により算出された上記推奨縮尺に対応する上記表示領域に含まれる上記施設の上記施設情報を出力用に編集する施設情報編集手段と、上記施設情報編集手段により編集された上記施設情報を、上記出力部に出力する施設情報出力手段と、を更に備えたことを特徴とする。
【００１６】
また、本発明の施設情報提供装置は、上記記載の施設情報提供装置において、上記制御部は、上記縮尺入力制御手段の制御により入力された上記縮尺値に基づいて、検索範囲を設定する検索範囲設定手段と、上記検索範囲設定手段により設定された上記検索範囲内の上記施設を検索する施設検索手段と、上記施設検索手段により検索された上記施設の上記施設情報を出力用に編集する施設情報編集手段と、上記施設情報編集手段により編集された上記施設情報を、上記出力部に出力する施設情報出力手段と、を更に備えたことを特徴とする。
【００１７】
また、本発明の施設情報提供システムは、入力部と出力部と制御部とを少なくとも備えた端末装置、および、記憶部と制御部とを少なくとも備えたサーバ装置、を通信可能に接続した施設情報提供システムにおいて、上記サーバ装置の上記記憶部は、地図情報を記憶する地図情報記憶手段と、少なくとも施設の地点情報およびカテゴリ情報を含む施設情報を記憶する施設情報記憶手段と、を備え、上記サーバ装置の上記制御部は、上記端末装置から送信される、カテゴリ情報を受信するカテゴリ情報受信手段と、上記施設情報記憶手段に記憶された上記施設情報に基づいて、上記カテゴリ情報受信手段により受信された上記カテゴリ情報が示すカテゴリに該当する所定数の上記施設が表示領域に含まれる上記地図情報の縮尺を推奨縮尺として算出する推奨縮尺算出手段と、上記推奨縮尺算出手段により算出された上記推奨縮尺を示す推奨縮尺情報を、上記端末装置に送信する推奨縮尺情報送信手段と、を備え、上記端末装置の上記制御部は、利用者により上記入力部を介して上記カテゴリが入力されるよう制御するカテゴリ入力制御手段と、上記カテゴリ入力制御手段の制御により入力された上記カテゴリを示す上記カテゴリ情報を、上記サーバ装置に送信するカテゴリ情報送信手段と、上記サーバ装置から送信される、上記推奨縮尺情報を受信する推奨縮尺情報受信手段と、上記推奨縮尺情報受信手段により受信された上記推奨縮尺情報を、上記出力部に出力する推奨縮尺出力手段と、を備えたことを特徴とする。
【００１８】
また、本発明の施設情報提供システムは、地図情報を記憶する地図情報記憶手段と、少なくとも施設の地点情報およびカテゴリ情報を含む施設情報を記憶する施設情報記憶手段と、利用者により入力部を介してカテゴリが入力されるよう制御するカテゴリ入力制御手段と、上記施設情報記憶手段に記憶された上記施設情報に基づいて、上記カテゴリ入力制御手段の制御により入力された上記カテゴリに該当する所定数の上記施設が表示領域に含まれる上記地図情報の縮尺を推奨縮尺として算出する推奨縮尺算出手段と、上記推奨縮尺算出手段により算出された上記推奨縮尺を、出力部を介して出力する推奨縮尺出力手段と、を備えたことを特徴とする。
【００１９】
また、本発明のサーバ装置は、入力部と出力部とを少なくとも備えた端末装置に通信可能に接続された、記憶部と制御部とを少なくとも備えたサーバ装置において、上記記憶部は、地図情報を記憶する地図情報記憶手段と、少なくとも施設の地点情報およびカテゴリ情報を含む施設情報を記憶する施設情報記憶手段と、を備え、上記制御部は、上記端末装置から送信される、利用者により上記入力部を介して入力されたカテゴリを示すカテゴリ情報を受信するカテゴリ情報受信手段と、上記施設情報記憶手段に記憶された上記施設情報に基づいて、上記カテゴリ情報受信手段により受信された上記カテゴリ情報が示すカテゴリに該当する所定数の上記施設が表示領域に含まれる上記地図情報の縮尺を推奨縮尺として算出する推奨縮尺算出手段と、上記推奨縮尺算出手段により算出された上記推奨縮尺を示す推奨縮尺情報を、上記端末装置に送信することにより、上記端末装置の上記出力部から出力させる推奨縮尺情報送信手段と、を備えたことを特徴とする。
【００２０】
また、本発明のサーバ装置は、入力部と出力部とを少なくとも備えた端末装置に通信可能に接続された、記憶部と制御部とを少なくとも備えたサーバ装置において、上記記憶部は、地図情報を記憶する地図情報記憶手段と、少なくとも施設の地点情報およびカテゴリ情報を含む施設情報を記憶する施設情報記憶手段と、を備え、上記制御部は、上記端末装置から送信される、利用者により上記入力部を介して入力されたカテゴリを示すカテゴリ情報を受信するカテゴリ情報受信手段と、上記施設情報記憶手段に記憶された上記施設情報に基づいて、上記カテゴリ情報受信手段により受信された上記カテゴリ情報が示すカテゴリに該当する所定数の上記施設が表示領域に含まれる上記地図情報の縮尺を推奨縮尺として算出する推奨縮尺算出手段と、上記推奨縮尺算出手段により算出された上記推奨縮尺を含む表示画面を生成する表示画面生成手段と、上記表示画面生成手段により生成された上記表示画面を表示させるための出力制御情報を上記端末装置に送信することにより、上記端末装置の上記出力部から出力させる出力制御手段と、を備えたことを特徴とする。
【００２１】
また、本発明の端末装置は、記憶部を少なくとも備えたサーバ装置に通信可能に接続された、入力部と出力部と制御部とを少なくとも備えた端末装置において、上記記憶部は、地図情報を記憶する地図情報記憶手段と、少なくとも施設の地点情報およびカテゴリ情報を含む施設情報を記憶する施設情報記憶手段と、を備え、上記制御部は、利用者により上記入力部を介してカテゴリが入力されるよう制御するカテゴリ入力制御手段と、上記カテゴリ入力制御手段の制御により入力された上記カテゴリを示す上記カテゴリ情報を、上記サーバ装置に送信するカテゴリ情報送信手段と、上記サーバ装置から送信される、上記施設情報記憶手段に記憶された上記施設情報に基づいて算出された、上記カテゴリ情報が示す上記カテゴリに該当する所定数の上記施設が表示領域に含まれる上記地図情報の推奨縮尺を示す推奨縮尺情報を受信する推奨縮尺情報受信手段と、上記推奨縮尺情報受信手段により受信された上記推奨縮尺情報を、上記出力部に出力する推奨縮尺出力手段と、を備えたことを特徴とする。
【００２２】
また、本発明の施設情報提供方法は、入力部と出力部と記憶部と制御部とを少なくとも備えた施設情報提供装置において実行される施設情報提供方法であって、上記記憶部は、地図情報を記憶する地図情報記憶手段と、少なくとも施設の地点情報およびカテゴリ情報を含む施設情報を記憶する施設情報記憶手段と、を備え、上記制御部において実行される、利用者により上記入力部を介してカテゴリが入力されるよう制御するカテゴリ入力制御ステップと、上記施設情報記憶手段に記憶された上記施設情報に基づいて、上記カテゴリ入力制御ステップにおける制御により入力された上記カテゴリに該当する所定数の上記施設が表示領域に含まれる上記地図情報の縮尺を推奨縮尺として算出する推奨縮尺算出ステップと、上記推奨縮尺算出ステップにて算出された上記推奨縮尺を上記出力部を介して出力させる推奨縮尺出力ステップと、を含むことを特徴とする。
【００２３】
また、本発明の施設情報提供方法は、入力部と出力部と制御部とを少なくとも備えた端末装置、および、記憶部と制御部とを少なくとも備えたサーバ装置、を通信可能に接続した施設情報提供システムにおいて実行される施設情報提供方法であって、上記サーバ装置の上記記憶部は、地図情報を記憶する地図情報記憶手段と、少なくとも施設の地点情報およびカテゴリ情報を含む施設情報を記憶する施設情報記憶手段と、を備え、上記端末装置の上記制御部において実行される、利用者により上記入力部を介してカテゴリが入力されるよう制御するカテゴリ入力制御ステップと、上記端末装置の上記制御部において実行される、上記カテゴリ入力制御ステップにおける制御により入力された上記カテゴリを示す上記カテゴリ情報を、上記サーバ装置に送信するカテゴリ情報送信ステップと、上記サーバ装置の上記制御部において実行される、上記端末装置から送信される、上記カテゴリ情報を受信するカテゴリ情報受信ステップと、上記サーバ装置の上記制御部において実行される、上記施設情報記憶手段に記憶された上記施設情報に基づいて、上記カテゴリ情報受信ステップにて受信された上記カテゴリ情報が示す上記カテゴリに該当する所定数の上記施設が表示領域に含まれる上記地図情報の縮尺を推奨縮尺として算出する推奨縮尺算出ステップと、上記サーバ装置の上記制御部において実行される、上記推奨縮尺算出ステップにて算出された上記推奨縮尺を示す推奨縮尺情報を、上記端末装置に送信する推奨縮尺情報送信ステップと、上記端末装置の上記制御部において実行される、上記サーバ装置から送信される、上記推奨縮尺情報を受信する推奨縮尺情報受信ステップと、上記端末装置の上記制御部において実行される、上記推奨縮尺情報受信ステップにて受信された上記推奨縮尺情報を、上記出力部に出力する推奨縮尺出力ステップと、を含むことを特徴とする。
【００２４】
また、本発明の施設情報提供方法は、地図情報を記憶する地図情報記憶手段と、少なくとも施設の地点情報およびカテゴリ情報を含む施設情報を記憶する施設情報記憶手段と、カテゴリ入力制御手段と、推奨縮尺算出手段と、推奨縮尺出力手段と、を備えた施設情報提供システムにおいて実行される施設情報提供方法であって、上記カテゴリ入力制御手段が、利用者により入力部を介してカテゴリが入力されるよう制御するカテゴリ入力制御ステップと、上記推奨縮尺算出手段が、上記施設情報記憶手段に記憶された上記施設情報に基づいて、上記カテゴリ入力制御ステップにおける制御により入力された上記カテゴリに該当する所定数の上記施設が表示領域に含まれる上記地図情報の縮尺を推奨縮尺として算出する推奨縮尺算出ステップと、上記推奨縮尺出力手段が、上記推奨縮尺算出ステップにて算出された上記推奨縮尺を、出力部を介して出力する推奨縮尺出力ステップと、を含むことを特徴とする。
【００２５】
また、本発明の施設情報提供方法は、入力部と出力部とを少なくとも備えた端末装置に通信可能に接続された、記憶部と制御部とを少なくとも備えたサーバ装置において実行される施設情報提供方法であって、上記記憶部は、地図情報を記憶する地図情報記憶手段と、少なくとも施設の地点情報およびカテゴリ情報を含む施設情報を記憶する施設情報記憶手段と、を備え、上記制御部において実行される、上記端末装置から送信される、利用者により上記入力部を介して入力されたカテゴリを示すカテゴリ情報を受信するカテゴリ情報受信ステップと、上記施設情報記憶手段に記憶された上記施設情報に基づいて、上記カテゴリ情報受信ステップにて受信された上記カテゴリ情報が示すカテゴリに該当する所定数の上記施設が表示領域に含まれる上記地図情報の縮尺を推奨縮尺として算出する推奨縮尺算出ステップと、上記推奨縮尺算出ステップにて算出された上記推奨縮尺を示す推奨縮尺情報を、上記端末装置に送信することにより、上記端末装置の上記出力部から出力させる推奨縮尺情報送信ステップと、を含むことを特徴とする。
【００２６】
また、本発明の施設情報提供方法は、入力部と出力部とを少なくとも備えた端末装置に通信可能に接続された、記憶部と制御部とを少なくとも備えたサーバ装置において実行される施設情報提供方法であって、上記記憶部は、地図情報を記憶する地図情報記憶手段と、少なくとも施設の地点情報およびカテゴリ情報を含む施設情報を記憶する施設情報記憶手段と、を備え、上記制御部において実行される、上記端末装置から送信される、利用者により上記入力部を介して入力されたカテゴリを示すカテゴリ情報を受信するカテゴリ情報受信ステップと、上記施設情報記憶手段に記憶された上記施設情報に基づいて、上記カテゴリ情報受信ステップにて受信された上記カテゴリ情報が示す上記カテゴリに該当する所定数の上記施設が表示領域に含まれる上記地図情報の縮尺を推奨縮尺として算出する推奨縮尺算出ステップと、上記推奨縮尺算出ステップにて算出された上記推奨縮尺を含む表示画面を生成する表示画面生成ステップと、上記表示画面生成ステップにて生成された上記表示画面を表示させるための出力制御情報を上記端末装置に送信することにより、上記端末装置の上記出力部から出力させる出力制御ステップと、を含むことを特徴とする。
【００２７】
また、本発明の施設情報提供方法は、記憶部を少なくとも備えたサーバ装置に通信可能に接続された、入力部と出力部と制御部とを少なくとも備えた端末装置において実行される施設情報提供方法であって、上記記憶部は、地図情報を記憶する地図情報記憶手段と、少なくとも施設の地点情報およびカテゴリ情報を含む施設情報を記憶する施設情報記憶手段と、を備え、上記制御部において実行される、利用者により上記入力部を介してカテゴリが入力されるよう制御するカテゴリ入力制御ステップと、上記カテゴリ入力制御ステップにおける制御により入力された上記カテゴリを示す上記カテゴリ情報を、上記サーバ装置に送信するカテゴリ情報送信ステップと、上記サーバ装置から送信される、上記施設情報記憶手段に記憶された上記施設情報に基づいて算出された、上記カテゴリ情報が示す上記カテゴリに該当する所定数の上記施設が表示領域に含まれる上記地図情報の推奨縮尺を示す推奨縮尺情報を受信する推奨縮尺情報受信ステップと、上記推奨縮尺情報受信ステップにて受信された上記推奨縮尺情報を、上記出力部に出力する推奨縮尺出力ステップと、を含むことを特徴とする。
【００２８】
また、本発明のプログラムは、入力部と出力部と記憶部と制御部とを少なくとも備えた施設情報提供装置に実行させるためのプログラムであって、上記記憶部は、地図情報を記憶する地図情報記憶手段と、少なくとも施設の地点情報およびカテゴリ情報を含む施設情報を記憶する施設情報記憶手段と、を備え、上記制御部において、利用者により上記入力部を介してカテゴリが入力されるよう制御するカテゴリ入力制御ステップと、上記施設情報記憶手段に記憶された上記施設情報に基づいて、上記カテゴリ入力制御ステップにおける制御により入力された上記カテゴリに該当する所定数の上記施設が表示領域に含まれる上記地図情報の縮尺を推奨縮尺として算出する推奨縮尺算出ステップと、上記推奨縮尺算出ステップにて算出された上記推奨縮尺を上記出力部を介して出力させる推奨縮尺出力ステップと、を実行させることを特徴とする。
【００２９】
また、本発明のプログラムは、入力部と出力部とを少なくとも備えた端末装置に通信可能に接続された、記憶部と制御部とを少なくとも備えたサーバ装置に実行させるためのプログラムであって、上記記憶部は、地図情報を記憶する地図情報記憶手段と、少なくとも施設の地点情報およびカテゴリ情報を含む施設情報を記憶する施設情報記憶手段と、を備え、上記制御部において、上記端末装置から送信される、利用者により上記入力部を介して入力されたカテゴリを示すカテゴリ情報を受信するカテゴリ情報受信ステップと、上記施設情報記憶手段に記憶された上記施設情報に基づいて、上記カテゴリ情報受信ステップにて受信された上記カテゴリ情報が示す上記カテゴリに該当する所定数の上記施設が表示領域に含まれる上記地図情報の縮尺を推奨縮尺として算出する推奨縮尺算出ステップと、上記推奨縮尺算出ステップにて算出された上記推奨縮尺を示す推奨縮尺情報を、上記端末装置に送信することにより、上記端末装置の上記出力部から出力させる推奨縮尺情報送信ステップと、を実行させることを特徴とする。
【００３０】
また、本発明のプログラムは、入力部と出力部とを少なくとも備えた端末装置に通信可能に接続された、記憶部と制御部とを少なくとも備えたサーバ装置に実行させるためのプログラムであって、上記記憶部は、地図情報を記憶する地図情報記憶手段と、少なくとも施設の地点情報およびカテゴリ情報を含む施設情報を記憶する施設情報記憶手段と、を備え、上記制御部において、上記端末装置から送信される、利用者により上記入力部を介して入力されたカテゴリを示すカテゴリ情報を受信するカテゴリ情報受信ステップと、上記施設情報記憶手段に記憶された上記施設情報に基づいて、上記カテゴリ情報受信ステップにて受信された上記カテゴリ情報が示す上記カテゴリに該当する所定数の上記施設が表示領域に含まれる上記地図情報の縮尺を推奨縮尺として算出する推奨縮尺算出ステップと、上記推奨縮尺算出ステップにて算出された上記推奨縮尺を含む表示画面を生成する表示画面生成ステップと、上記表示画面生成ステップにて生成された上記表示画面を表示させるための出力制御情報を上記端末装置に送信することにより、上記端末装置の上記出力部から出力させる出力制御ステップと、を実行させることを特徴とする。
【００３１】
また、本発明のプログラムは、記憶部を少なくとも備えたサーバ装置に通信可能に接続された、入力部と出力部と制御部とを少なくとも備えた端末装置に実行させるためのプログラムであって、上記記憶部は、地図情報を記憶する地図情報記憶手段と、少なくとも施設の地点情報およびカテゴリ情報を含む施設情報を記憶する施設情報記憶手段と、を備え、上記制御部において、利用者により上記入力部を介してカテゴリが入力されるよう制御するカテゴリ入力制御ステップと、上記カテゴリ入力制御ステップにおける制御により入力された上記カテゴリを示す上記カテゴリ情報を、上記サーバ装置に送信するカテゴリ情報送信ステップと、上記サーバ装置から送信される、上記施設情報記憶手段に記憶された上記施設情報に基づいて算出された、上記カテゴリ情報が示す上記カテゴリに該当する所定数の上記施設が表示領域に含まれる上記地図情報の推奨縮尺を示す推奨縮尺情報を受信する推奨縮尺情報受信ステップと、上記推奨縮尺情報受信ステップにて受信された上記推奨縮尺情報を、上記出力部に出力する推奨縮尺出力ステップと、を実行させることを特徴とする。
【発明の効果】
【００３２】
この発明によれば、地図情報を記憶し、少なくとも施設の地点情報およびカテゴリ情報を含む施設情報を記憶し、利用者により入力部を介してカテゴリが入力されるよう制御し、記憶する施設情報に基づいて、入力されたカテゴリに該当する所定数の施設が表示領域に含まれる地図情報の縮尺を推奨縮尺として算出し、算出した推奨縮尺を出力部を介して出力させる。これにより、本発明は、所望するＰＯＩが所望の程度存在するような推奨縮尺を提示することができるという効果を奏する。より具体的には、利用者のカテゴリの入力に応じて、所定数の施設が表示領域に含まれるような適切な推奨縮尺を提示するので、利用者にとって何度も縮尺値の変更を強いられる煩雑な操作を省略することができ、周辺施設検索等の利便性が向上する。
【００３３】
また、本発明によれば、地図情報の縮尺値を指定させるためのスライドバーを出力部に表示させ、利用者により入力部を介してスライドバー上で指定された位置に対応する縮尺値を取得する場合に、予め算出した推奨縮尺に対応するスライドバー上の位置を強調表示させる。これにより、本発明は、利用者にスライドバーを介して直感的に縮尺値を入力させることができるとともに、利用者の所望のカテゴリの施設が所定数、表示領域に存在するような適切な縮尺値をスライドバー上で提案することができ、利用者の周辺施設検索等に対する利便性がより一層向上するという効果を奏する。
【００３４】
また、本発明によれば、地図情報の縮尺値を指定させるために一列に並んだ複数のオブジェクトを出力部に表示させ、利用者により入力部を介して選択されたオブジェクトに対応する縮尺値を取得する場合に、予め算出した推奨縮尺に対応するオブジェクトを強調表示させる。これにより、本発明は、利用者がオブジェクト列により直感的に縮尺値を入力することができるとともに、利用者の所望のカテゴリの施設が所定数、表示領域に存在するような適切な縮尺値をオブジェクト列上で提案することができ、利用者の周辺施設検索等に対する利便性がより一層向上するという効果を奏する。
【００３５】
また、本発明によれば、算出した推奨縮尺に対応する表示領域に含まれる施設の施設情報を出力用に編集し、編集した施設情報を出力部に出力するので、縮尺値として推奨縮尺を選択すれば、どのカテゴリの施設がどの程度地図内に含まれるかを予め提示することができるという効果を奏する。
【００３６】
また、本発明によれば、入力された縮尺値に基づいて検索範囲を設定し、設定した検索範囲内の施設を検索し、検索した施設の施設情報を出力用に編集し、編集した施設情報を出力部に出力するので、利用者が、推奨縮尺を選ぶ場合と比べて縮尺値を設定すればどの程度施設が増減するか等を、地図の縮尺変更前に予め把握することができるという効果を奏する。
【図面の簡単な説明】
【００３７】
【図１】図１は、第１の実施形態における施設情報提供システムの構成の一例を示すブロック図である。
【図２】図２は、第１の実施形態における施設情報提供システムの処理の一例を示すフローチャートである。
【図３】図３は、出力部１１４に表示される表示画面の一例を示す図である。
【図４】図４は、縮尺入力制御部１０２ｆの制御により表示されるスライド式のスケールバー上で、推奨縮尺出力部１０２ｅにより強調表示された推奨縮尺の例を示す図である。
【図５】図５は、縮尺入力制御部１０２ｆの制御により表示されるオブジェクト列のスケールバー上で、推奨縮尺出力部１０２ｅにより強調表示された推奨縮尺の例を示す図である。
【図６】図６は、第２の実施形態におけるサーバ装置２００の構成の一例を示すブロック図である。
【図７】図７は、第２の実施形態におけるサーバ装置２００の処理の一例を示すフローチャートである。
【図８】図８は、第３の実施形態における施設情報提供装置４００の構成の一例を示すブロック図である。
【図９】図９は、第３の実施形態における施設情報提供装置４００の処理の一例を示すフローチャートである。
【発明を実施するための形態】
【００３８】
以下に、本発明にかかる施設情報提供システム、サーバ装置、端末装置、施設情報提供方法、および、プログラムの実施の形態を図面に基づいて詳細に説明する。なお、この実施の形態によりこの発明が限定されるものではない。
【００３９】
以下、本発明の構成および処理について、第１の実施形態（施設情報提供システム）、第２の実施形態（サーバ装置（サーバ主導型））、第３の実施形態（施設情報提供装置（スタンドアローン型））の順にて詳細に説明する。
【００４０】
［第１の実施形態］
最初に、本発明の第１の実施形態（施設情報提供システム）について、図１乃至図５を参照して以下に説明する。但し、以下に示す第１の実施形態は、本発明の技術思想を具体化するための施設情報提供システムを例示するものであって、本発明をこの施設情報提供システムに特定することを意図するものではなく、特許請求の範囲に含まれるその他の実施形態の施設情報提供システムにも等しく適用し得るものである。例えば、第１の実施形態で例示する施設情報提供システムにおけるサーバ側と端末側の機能分散の形態は以下に限られず、同様の効果や機能を奏し得る範囲において、任意の単位で機能的または物理的に分散・統合して構成することができる。
【００４１】
［施設情報提供システムの構成］
まず、第１の実施形態における施設情報提供システムの構成の一例について、図１を参照して以下に説明する。ここで、図１は、第１の実施形態における施設情報提供システムの構成の一例を示すブロック図であり、該構成のうち本発明に関係する部分のみを概念的に示している。なお、本実施形態においては、通信型の情報提供を行う施設情報提供システムを具体例として説明するが、本発明はこれに限ることなく、スタンドアローンタイプの施設情報提供システムなどにも適用可能である。
【００４２】
図１に示すように、第１の実施形態の施設情報提供システムは、概略的に、施設情報を提供することができるサーバ装置２００、および、単数または複数の端末装置１００、を通信可能に接続して構成される。なお、図１では、複数の端末装置１００のうち一の端末装置１００を代表して例示している。ここで、図１に示すように、通信には、一例として、ネットワーク３００を介した有線・無線通信等の遠隔通信等を含む。また、これら施設情報提供システムの各部は任意の通信路を介して通信可能に接続されている。
【００４３】
図１に示すように、第１の実施形態の施設情報提供システムにおいて、サーバ装置２００は、概略的に、制御部２０２と記憶部２０６とを備えており、端末装置１００は、位置取得部１１２と出力部１１４と入力部１１６と制御部１０２と記憶部１０６とを備える。
【００４４】
［サーバ装置２００の構成］
ここで、図１において、サーバ装置２００は、端末装置１００から送信される、カテゴリ情報を受信し、記憶部２０６に記憶する施設情報に基づいて、受信したカテゴリ情報が示すカテゴリに該当する所定数の施設が表示領域に含まれる地図情報の縮尺を推奨縮尺として算出し、算出した推奨縮尺を示す推奨縮尺情報を端末装置１００に送信する等の機能を有する。サーバ装置２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置およびＳＳＤ（Ｓｏｌｉｄ  Ｓｔａｔｅ  Ｄｒｉｖｅ）等のストレージ手段であり、各種のデータベースやテーブル（地図データベース２０６ａ、および、ＰＯＩデータベース２０６ｂ等）を格納する。
【００４５】
これら記憶部２０６の各構成要素のうち、地図データベース２０６ａは、地図情報を記憶する地図情報記憶手段である。ここで、地図データベース２０６ａに記憶される地図情報は、同一の地図情報から拡大縮小等の処理によって複数の縮尺で地図を表すことのできるデータであってもよく、対応する縮尺ごとに格納された地図のデータであってもよい。また、地図データベース２０６ａに記憶される地図情報は、全国および各地方の道路地図や路線図等の地図情報であってもよい。例えば、地図データベース２０６ａに記憶される地図情報は、地図上に表示される地物（例えば、ビルや住宅や駅等の建造物、道路、線路、橋、トンネル、等高線、海岸線や湖岸線等の水涯線、海、河川、湖、池、沼、公園や屋外施設等の地、行政界、行政区域、および、街区等）の形状についての形状データ、地図上に表示される注記（例えば、地名、住所、電話番号、店や公園や駅等の施設名称、名所や旧跡や河川や湖や湾や山や森林等の俗称を含む名称、道路や橋やトンネル等の名称、路線名称、地点情報、および、口コミ情報等）の注記データ、および、地図上に表示される記号（例えば、山、史跡、寺社、学校、病院、工場および墓地等の地図記号、ガソリンスタンド、コンビニエンスストア、スーパーマーケット、レストラン、銀行および郵便局等の店舗記号、道路上の信号、有料道路の出入口、料金所、サービスエリア、パーキングエリアおよびインターチェンジ等の記号、駐車場、駅、ホテル、美術館および博物館等の施設記号、ならびに、口コミ地点記号等）の記号データ等のデータを含んでいてもよい。ここで、地図情報は、縮尺に従ってメッシュ化された地図情報（例えば、ＪＩＳ規格の第１〜３次地域区画メッシュデータ、および、１００ｍメッシュデータ等）等であってもよい。また、地図情報は、ラスタ形式、ベクタ形式等の地図描画用の画像データであってもよい。これら地図情報は、地図データベース２０６ａに予め記憶されており、サーバ装置２００の制御部２０２は、定期的にネットワーク３００を介して最新のデータを、外部機器６００（地図情報を提供する地図提供サーバ等）からダウンロードして地図データベース２０６ａに記憶された地図情報をアップデートしてもよい。
【００４６】
また、ＰＯＩデータベース２０６ｂは、少なくとも施設の地点情報およびカテゴリ情報を含む施設情報を記憶する施設情報記憶手段である。ここで、本実施の形態において、「施設」とは、コンビニエンスストアや郵便局等の建造物や設備に限られず、観光スポットや景勝地などの地点や地物であってもよく、以下の実施形態では、これらを総称して、「ＰＯＩ」と呼ぶ。例えば、ＰＯＩは、便利な場所や興味のある場所などとして人が知覚する特定の地点や施設等であって、店舗、会社、事務所、公共施設、娯楽施設、および、屋外施設等であってもよい。すなわち、本実施形態において、ＰＯＩデータベース２０６ｂは、施設情報として、ＰＯＩ情報を記憶する。ＰＯＩ情報は、少なくともＰＯＩの地点情報（緯度経度等）およびカテゴリ情報（店舗種別等のカテゴリ属性など）のほか、ＰＯＩの名称（地点名称）、住所、電話番号、ＵＲＬ、営業時間情報、取扱商品情報、写真データ、クーポン情報、口コミ情報、使用条件、使用可能性、施設規模情報、ＰＯＩの緯度経度高度、ＰＯＩ  ＩＤ、および、当該ＰＯＩ情報の更新日時等の情報を含んでいてもよい。ここで、店舗は、例えば、飲食店、食料品店、酒店、タバコ店、百貨店、ショッピングセンター、スーパーマーケット、コンビニエンスストア、ガソリンスタンド、金融機関、郵便局、立体駐車場、および、ホテルや旅館等の宿泊施設等であってもよい。また、公共施設は、例えば、官庁、警察署、交番、消防署、駅、医療機関、美術館、博物館、および、学校等であってもよい。また、娯楽施設は、例えば、映画館、劇場、遊園地、パチンコ店、カジノ、競馬場等であってもよい。また、屋外施設は、バスターミナル、公園、遊園地、キャンプ場、連絡通路、屋外駐車場、および、動物園等であってもよい。なお、カテゴリ情報が規定するカテゴリは、大分類が小分類を含む構成としてもよい。例えば、「お買い物」という大分類は、「生活雑貨／日用品」、「コンビニ」、「スーパー」、「映像／音楽／書籍」、「趣味／スポーツ」、「ショッピングモール／商店街」、「電器／パソコン／カメラ」、「デパート／百貨店」、「子供／ベビー」、「食料品」、「プレイガイド／チケット」、および「その他お買い物」という小分類を含んでもよい。また、ＰＯＩデータベース２０６ｂは、ＰＯＩに対応したアイコン情報を記憶していてもよい。これらＰＯＩ情報は、ＰＯＩデータベース２０６ｂに予め記憶されており、ナビゲーションサーバ２００の制御部２０２は、定期的にネットワーク３００を介して最新のデータを外部機器６００（例えば、ＰＯＩ情報を提供する施設情報提供サーバなど）等からダウンロードしてＰＯＩデータベース２０６ｂに記憶されたＰＯＩ情報をアップデートしてもよい。
【００４７】
また、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、カテゴリ情報受信部２０２ａ、推奨縮尺算出部２０２ｂ、推奨縮尺情報送信部２０２ｃ、縮尺値受信部２０２ｄ、検索範囲設定部２０２ｅ、施設検索部２０２ｆ、施設情報編集部２０２ｇ、および、施設情報送信部２０２ｈを備える。
【００４８】
このうち、カテゴリ情報受信部２０２ａは、端末装置１００から送信される、カテゴリ情報を受信するカテゴリ情報受信手段である。なお、カテゴリ情報受信部２０２ａは、カテゴリ情報として、利用者により入力部１１６を介して入力されたカテゴリを示す情報とともに、現在位置情報や、現在表示中の地図の中心座標等の中心位置情報、端末装置１００の出力部１１４の地図表示にかかる画面サイズや解像度等を受信してもよい。
【００４９】
また、推奨縮尺算出部２０２ｂは、ＰＯＩデータベース２０６ｂに記憶された施設情報（ＰＯＩ情報）に基づいて、カテゴリ情報受信部２０２ａにより受信されたカテゴリ情報が示すカテゴリ（すなわち、利用者の所望のカテゴリ）に該当する所定数の施設（ＰＯＩ）が表示領域に含まれる地図情報の縮尺を推奨縮尺として算出する推奨縮尺算出手段である。例えば、推奨縮尺算出部２０２ｂは、地図中心や現在位置等の周辺の、利用者の所望のカテゴリのＰＯＩを近い順にＰＯＩデータベース２０６ｂから探索し、所定数のＰＯＩが探索されると当該所定数のＰＯＩを含む矩形（表示領域）を表示する場合の縮尺を推奨縮尺として算出してもよい。なお、各縮尺の表示領域を把握するため、推奨縮尺算出部２０２ｂは、記憶部２０６に設定された又は端末装置１００から送信された、表示中の地図の中心位置情報や、位置取得部１１２にて取得された位置情報信号、表示範囲や画面サイズや解像度等を用いてもよい。また、推奨縮尺算出部２０２ｂは、順次、検索範囲を拡大させながら当該検索範囲に含まれる所望のカテゴリのＰＯＩを探索していき、所定数に達したときの検索範囲から推奨縮尺を算出してもよい。
【００５０】
また、推奨縮尺情報送信部２０２ｃは、推奨縮尺算出部２０２ｂにより算出された推奨縮尺を示す推奨縮尺情報を、端末装置１００に送信する推奨縮尺情報送信手段である。
【００５１】
また、縮尺値受信部２０２ｄは、端末装置１００から送信される、地図情報の縮尺値を受信する縮尺値受信手段である。ここで、縮尺値受信部２０２ｄは、縮尺値とともに端末装置１００から送信される、入力種別情報（縮尺値の入力が指定か設定かを示す情報等）を受信してもよい。また、縮尺値受信部２０２ｄは、縮尺値とともに端末装置１００から送信される、現在位置情報や、現在表示中の地図の中心座標等の中心位置情報を受信してもよく、さらに、端末装置１００の出力部１１４の地図表示にかかる画面サイズや解像度等を受信してもよい。
【００５２】
また、検索範囲設定部２０２ｅは、縮尺値受信部２０２ｄにより受信された縮尺値に基づいて、検索範囲を設定する検索範囲設定手段である。例えば、検索範囲設定部２０２ｅは、縮尺値受信部２０２ｄにより受信された縮尺値で地図を表示する場合の表示範囲（地図表示領域）を算出して検索範囲として設定してもよい。その際、検索範囲設定部２０２ｅは、縮尺値受信部２０２ｄにより縮尺値とともに受信された中心位置情報に基づく中心位置または現在位置情報に基づく現在位置を中心とした地図の表示範囲を検索範囲として算出してもよい。また、検索範囲設定部２０２ｅは、縮尺値受信部２０２ｄにより縮尺値とともに受信された、端末装置１００の出力部１１４の画面サイズ、および、端末装置１００の出力部１１４の解像度に基づき、縮尺値の地図の地図情報を、端末装置１００の出力部１１４で表示する場合の表示範囲を算出してもよい。なお、検索範囲設定部２０２ｅは、縮尺値受信部２０２ｄにより受信された入力種別情報が縮尺値の指定を示す場合にのみ、当該縮尺値に基づいて検索範囲を設定してもよい。
【００５３】
また、施設検索部２０２ｆは、検索範囲設定部２０２ｅにより設定された検索範囲内の、カテゴリ情報が示すカテゴリに属する施設（ＰＯＩ）をＰＯＩデータベース２０６ｂから検索する施設検索手段である。例えば、施設検索部２０２ｆは、ＰＯＩデータベース２０６ｂに記憶されたＰＯＩ情報の地点情報（緯度経度等）に基づく地点が検索範囲内にある該当カテゴリのＰＯＩを抽出することにより、ＰＯＩ検索を実行してもよい。
【００５４】
また、施設情報編集部２０２ｇは、施設検索部２０２ｆにより検索された施設（ＰＯＩ）の施設情報（ＰＯＩ情報）を出力用に編集する施設情報編集手段である。ここで、施設情報編集部２０２ｇは、施設検索部２０２ｆにより検索された施設（ＰＯＩ）に代えて、推奨縮尺算出部２０２ｂにより算出された推奨縮尺に対応する表示領域に含まれる施設（ＰＯＩ）の施設情報（ＰＯＩ情報）を出力用に編集してもよい。施設情報編集部２０２ｇは、施設検索部２０２ｆにより検索されたＰＯＩを示すアイコンが、利用者の入力に関連付けて所定の位置に表示されるように、ＰＯＩ情報の表示要素を編集してもよい。利用者の入力に関連付けた所定の位置としては、例えば、施設情報編集部２０２ｇは、利用者がスケールバー上の位置を指定することにより縮尺値を入力する場合に、指定した位置からＰＯＩを示すアイコンがポップアップ表示されるようにアイコンの表示座標を指定してもよい。また、施設情報編集部２０２ｇは、ＰＯＩ情報の表示要素を編集する例として、ＰＯＩ情報のカテゴリに従ったアイコンを生成してもよい。また、施設情報編集部２０２ｇは、同じカテゴリに属するＰＯＩが複数あるいは一定数以上ある場合に、単一のアイコンにまとめて表示されるように表示要素を編集してもよく、その際、ＰＯＩ数が併記されるよう編集してもよい。例えば、ＰＯＩ数が８以下の場合では、検索範囲内（同一表示圏内）にコンビニエンスストアが２件あった場合に、それぞれ個別のアイコンで表示されるが、ＰＯＩ数が８を超えた場合には、コンビニエンスストアのカテゴリを示す一つのアイコンにまとめて表示されるように編集してもよい。また、カテゴリの分類に階層があるので、施設情報編集部２０２ｇは、大分類で同じカテゴリに属するＰＯＩが一定数以上ある場合に、カテゴリを細分化した小分類のカテゴリごとにＰＯＩのアイコンやＰＯＩ数を用意してもよい。例えば、ＰＯＩ数が増えた場合、小分類カテゴリの上に更に大分類カテゴリアイコンを表記して、ＰＯＩ数が一定以上の数になれば、カテゴリ分類が階層構造で示されることとなる。すなわち、縮尺が小さい場合にはＰＯＩ数が増加するが、従来と同数のカテゴリ数であれば、縮尺をどれほど小さくしても従来の周辺ＰＯＩ検索よりも工数を増やすことなく利便性を向上させることができる。なお、施設情報編集部２０２ｇは、推奨縮尺に基づいて施設検索部２０２ｆにより検索されたＰＯＩのＰＯＩ情報を、アイコン等の表示要素として編集するのではなく、音声等の音声要素（例えば、「推奨縮尺では、マップ内にコンビニが２件あります。」等の音声データ等）として編集してもよい。
【００５５】
また、施設情報送信部２０２ｈは、施設情報編集部２０２ｇにより編集された施設情報（ＰＯＩ情報）を、端末装置１００に送信する路線図情報送信手段である。ここで、施設情報送信部２０２ｈは、縮尺値受信部２０２ｄにより受信された入力種別情報が縮尺値の設定を示す場合、当該縮尺値に従った縮尺の地図情報を地図データベース２０６ａから取得して端末装置１００に送信してもよい。
【００５６】
［端末装置１００の構成］
また、図１において、端末装置１００は、利用者により入力部１１６を介してカテゴリが入力されるよう制御し、入力されたカテゴリを示すカテゴリ情報をサーバ装置２００に送信し、サーバ装置２００から送信される、推奨縮尺情報を受信し、受信した推奨縮尺情報を出力部１１４に出力する等の機能を有する。端末装置１００は、例えば、一般に市販されるデスクトップ型またはノート型のパーソナルコンピュータ等の情報処理装置、携帯電話、スマートフォン、ＰＨＳ、およびＰＤＡ等の携帯端末装置、および、走行経路案内や乗換案内等を行なうナビゲーション端末（例えば、カーナビゲーション装置など）等である。ここで、端末装置１００は、インターネットブラウザ等を搭載していてもよく、経路案内アプリケーション、乗換案内アプリケーション、および、情報検索アプリケーション等を搭載していてもよい。なお、端末装置１００を汎用コンピュータで構成する場合、インターネットブラウザを搭載して、上述のアプリケーションを提供するサーバ装置２００に接続することにより経路案内等を実現してもよい。また、端末装置１００は、リアルタイムに現在位置取得が行えるよう、ＧＰＳ機能やＩＭＥＳ機能等を有する位置取得部１１２を備える。また、端末装置１００は、入力部１１６および出力部１１４を備える。
【００５７】
ここで、出力部１１４は、例えば、画面表示を行う表示手段（例えば、液晶または有機ＥＬ等から構成されるディスプレイおよびモニタ等）であってもよい。また、出力部１１４は、表示手段に限られず、音声データを音声として出力する音声出力手段（例えば、スピーカ等）であってもよい。また、端末装置１００は、カテゴリ等を入力するための、表示画面上の座標入力や数値入力や文字入力等を行うための入力部１１６（例えば、キー入力部、タッチパネル、キーボード、およびマイク等）を備えていてもよい。また、入出力制御インターフェース部１０８は、位置取得部１１２、出力部１１４、および、入力部１１６等の制御を行う。ここで、入力部１１６は、少なくとも二種類の入力が可能な入力手段であってもよい。本実施形態では、この二種類の入力の一方を「指定」と呼び、他方を「設定」と呼ぶ。例えば、入力部１１６としてマウスを用いる場合、対象座標に対する単なるマウスオーバーを「指定」とし、対象座標に対するクリック操作を「設定」としてもよい。他の例として、入力部１１６としてタッチパネルを用いた場合、対象座標に対するシングルタップを「指定」とし、対象座標に対するダブルタップを「設定」としてもよい。
【００５８】
また、位置取得部１１２は、例えば、位置発信装置５００から発信される位置情報信号を受信する信号受信手段であってもよい。ここで、位置発信装置５００は、位置情報信号（ＧＰＳ信号）を発信するＧＰＳ装置であってもよい。また、位置発信装置５００は、端末装置１００との間で無線通信を行うための装置等である基地局（例えば、携帯電話、自動車電話、および、ＰＨＳ等の基地局等）であってもよい。また、位置発信装置５００は、ＧＰＳ信号と類似した特徴を持つ位置情報信号を用いて屋内測位を可能とするＩＭＥＳ（Ｉｎｄｏｏｒ  Ｍｅｓｓａｇｅ  Ｓｙｓｔｅｍ）技術を実現するＩＭＥＳ装置であってもよい。なお、ＩＭＥＳ技術は測位衛星システムである準天頂衛星の枠組みから発案されたシステムである。
【００５９】
また、位置発信装置５００は、屋外で受信したＧＰＳ信号を屋内で発信するＧＰＳリピータであってもよい。また、位置発信装置５００は、建物（例えば、立体駐車場等）内の各フロアや地下構造物（例えば、地下鉄駅、地下街、地下連絡通路、および地下駐車場等）の各所に任意に設置される小型発信装置であってもよい。なお、この小型発信装置には、設置場所に応じた自己位置情報（位置ＩＤ等）が割り振られている。そして、端末装置１００が通信可能範囲に入ると、端末装置１００は、小型発信装置から送信される自己位置情報を位置情報信号として受信する。この際の通信方式は、例えば、ＲＦＩＤ（Ｒａｄｉｏ  Ｆｒｅｑｕｅｎｃｙ  Ｉｄｅｎｔｉｆｉｃａｔｉｏｎ）タグシステムやＢｌｕｅｔｏｏｔｈ（登録商標）等の各種近距離無線方式や、赤外線通信方式等であってもよい。また、位置発信装置５００は、無線ＬＡＮのアクセスポイントであってもよい。本実施形態において、位置取得部１１２は、無線ＬＡＮ信号等を受信して、アクセスポイントの識別情報を取得してもよい。そして、制御部１０２は、位置取得部１１２にて取得したアクセスポイント固有の識別情報からアクセスポイントの位置を特定して位置情報を取得してもよい。また、本実施形態において、制御部１０２は、位置取得部１１２にて取得された位置情報信号から、緯度、経度、および、高さ情報を含む位置情報を算出してもよい。
【００６０】
ここで、位置取得部１１２は、端末装置１００の変化量（例えば、ベクトル量等）を検出する、速度センサ、加速度センサ、方位センサ、および、距離センサ等を備えてもよい。ここで、位置取得部１１２は、速度センサにて速度を検出してもよい。また、位置取得部１１２は、加速度センサにて加速度を検出してもよい。また、位置取得部１１２は、方位センサにて方位（例えば、東・西・南・北・天・地等）および傾きを検出してもよい。また、位置取得部１１２は、距離センサにて移動距離（変位）を検出してもよい。ここで、速度センサは、レーザドップラ振動計等であってもよく、検出したドップラー効果によって生じた周波数の差等から端末装置１００の速度を検出してもよい。また、加速度センサは、機械式加速度センサ、ＦＢＧ光ファイバ式等の光学式加速度センサ、および、ＭＥＭＳ（Ｍｉｃｒｏ  Ｅｌｅｃｔｒｏ  Ｍｅｃｈａｎｉｃａｌ  Ｓｙｓｔｅｍｓ）加速度センサ等の半導体式加速度センサなどであってもよい。また、方位センサには、端末装置１００の絶対走行方位を検出する地磁気センサおよび端末装置１００の相対走行方位を検出する光ジャイロ等が使用されてもよい。また、方位センサは、地磁気センサと加速度センサを組み合わせることで方位や傾きに関する情報を取得できる電子コンパス等であってもよい。また、距離センサは、端末装置１００が車両用の情報処理端末である場合、車軸の回転数に比例してパルス信号を発生させ、パルス信号の数量に比例した移動距離を検出してもよい。
【００６１】
また、位置取得部１１２は、更に、通信装置を備えていてもよく、端末装置１００が車両用の情報処理端末である場合、各車両に搭載された当該通信装置の車車間通信から自車位置を示す位置情報を取得してもよい。また、位置取得部１１２は、地図情報に基づいて端末装置１００の利用者の現在位置を示す位置情報を取得してもよい。
【００６２】
また、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、サーバ装置２００等と通信回線を介してデータを通信する機能を有している。また、ネットワーク３００は、端末装置１００およびサーバ装置２００と、外部の地図提供サーバ等の外部機器６００または外部システムとを相互に接続する機能を有し、例えば、インターネット、電話回線網（携帯端末回線網および一般電話回線網等）、イントラネット、または、電力線通信（ＰＬＣ）等であってもよい。
【００６３】
また、記憶部１０６は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブルを格納してもよい。ここで、記憶部１０６は、受信した地図情報などの各種のファイル等を一時的に記憶するものであってもよい。
【００６４】
また、制御部１０２は、ＯＳ等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、現在位置情報取得部１０２ａ、カテゴリ入力制御部１０２ｂ、カテゴリ情報送信部１０２ｃ、推奨縮尺情報受信部１０２ｄ、推奨縮尺出力部１０２ｅ、縮尺入力制御部１０２ｆ、縮尺値送信部１０２ｇ、施設情報受信部１０２ｈ、施設情報出力部１０２ｊ、および、入力判定部１０２ｋを備える。
【００６５】
このうち、現在位置情報取得部１０２ａは、端末装置１００の利用者の現在位置情報を取得する現在位置情報取得手段である。ここで、現在位置情報取得部１０２ａは、端末装置１００の利用者の現在位置情報を所定時間（所定周期）ごと（例えば、１秒ごと、または、３分ごと等）に取得してもよい。また、現在位置情報取得部１０２ａは、位置取得部１１２にて位置発信装置５００から受信した位置情報信号から算出した位置情報を端末装置１００の利用者の現在位置情報として取得してもよい。
【００６６】
また、現在位置情報取得部１０２ａは、利用者により入力部１１６を介して入力された現在位置についての位置座標等の位置情報を端末装置１００の利用者の現在位置情報として取得してもよい。ここで、利用者により入力部１１６を介して入力された現在位置情報に基づく現在位置は、利用者が現実に存在する位置であってもよく、利用者により任意に選択された仮想の現在位置（一例として、東京にいる利用者により選択された大阪の駅や空港等の任意の地点）であってもよい。例えば、現在位置情報取得部１０２ａは、入力部１１６を介して利用者に表示部１１４に表示された地図情報に基づく表示画面上で指定または設定（例えば、タッチパネル式の表示部１１４でのタップ操作等）させた座標を端末装置１００の利用者の現在位置情報として取得してもよい。
【００６７】
また、カテゴリ入力制御部１０２ｂは、利用者により入力部１１６を介してカテゴリが入力されるよう制御するカテゴリ入力制御手段である。ここで、カテゴリ入力制御部１０２ｂは、出力部１１４と入力部１１６を連携させてＧＵＩ（Ｇｒａｐｈｉｃａｌ  Ｕｓｅｒ  Ｉｎｔｅｒｆａｃｅ）を実現することにより、利用者にカテゴリ選択チェックボックス等のカテゴリ入力手段を介してカテゴリ等を選択入力させてもよい。そのほか、カテゴリ入力制御部１０２ｂは、キーボード等の入力部１１６を介した文字入力や、マイク等の入力部１１６を介した音声入力等により、利用者にカテゴリを入力させてもよい。
【００６８】
また、カテゴリ情報送信部１０２ｃは、カテゴリ入力制御部１０２ｂの制御により入力されたカテゴリを示すカテゴリ情報を、サーバ装置２００に送信するカテゴリ情報送信手段である。ここで、カテゴリ情報送信部１０２ｃは、利用者により入力部１１６を介して入力されたカテゴリを示す情報のほか、現在位置情報取得部１０２ａにより取得された現在位置情報や、現在表示中の地図の中心座標等の中心位置情報、端末装置１００の出力部１１４の地図表示にかかる画面サイズや解像度等をカテゴリ情報として送信してもよい。
【００６９】
また、推奨縮尺情報受信部１０２ｄは、サーバ装置２００から送信される、推奨縮尺情報を受信する推奨縮尺情報受信手段である。
【００７０】
また、推奨縮尺出力部１０２ｅは、推奨縮尺情報受信部１０２ｄにより受信された推奨縮尺情報を、出力部１１４を介して出力させる推奨縮尺出力手段である。ここで、推奨縮尺出力部１０２ｅは、縮尺入力制御部１０２ｆの制御による利用者に入力部１１６を介して縮尺値を入力させるための、スライド式やオブジェクト列等のスケールバー（縮尺入力手段）に対応付けて推奨縮尺を提示してもよい。例えば、推奨縮尺出力部１０２ｅは、縮尺入力制御部１０２ｆにより表示されるスケールバー上の、推奨縮尺に対応する位置を強調表示させてもよい。また、推奨縮尺出力部１０２ｅは、縮尺入力制御部１０２ｆにより表示されるオブジェクト列の、推奨縮尺に対応するオブジェクトを強調表示させてもよい。一例として、推奨縮尺出力部１０２ｅは、色や、点滅表示、太さ、拡大等により強調表示を行ってもよい。また、推奨縮尺出力部１０２ｅは、推奨縮尺を表示出力することに限らず、スピーカ等の出力部１１４に音声出力してもよい。
【００７１】
また、縮尺入力制御部１０２ｆは、利用者により入力部１１６を介して縮尺値が入力されるよう制御する縮尺入力制御手段である。ここで、縮尺入力制御部１０２ｆは、出力部１１４と入力部１１６を連携させてＧＵＩを実現することにより、利用者にスケールバー等の縮尺値入力手段を介して縮尺値等を入力させてもよい。例えば、スライド式のスケールバーとして、縮尺入力制御部１０２ｆは、縮尺値を入力（指定または設定）させるためのスライドバーを出力部１１４に表示させ、利用者により入力部１１６を介してスライドバー上で入力（指定または設定）された位置に対応する縮尺値を取得してもよい。また、オブジェクト列のスケールバーとして、縮尺入力制御部１０２ｆは、縮尺値を入力（指定または設定）させるために一列に並んだ複数のオブジェクトを出力部１１４に表示させ、利用者により入力部１１６を介して選択（指定または設定による入力）されたオブジェクトに対応する縮尺値を取得してもよい。また、縮尺入力制御部１０２ｆは、スケールバーを介して縮尺値を入力させることに限らず、マイク等の入力部１１６を介した音声入力や、テンキー等の入力部１１６を介した数値入力等によって、縮尺値を取得してもよい。また、縮尺値とは、地図の縮尺の尺度であって、縮尺比や、縮尺を分数や少数で表したものでもよく、縮尺の度合いをレベルで表した情報であってもよく、更には、単に、詳細地図や広域地図によって表示されることになる表示範囲（地図表示領域）を示す情報であってもよい。例えば、表示範囲としては、地図の左下隅の座標（ｘ１，ｙ１）と右上隅の座標（ｘ２，ｙ２）の組み合わせであってもよく、地図の中心座標（ｘ３，ｙ３）等の中心位置情報とともに地図の縮尺や解像度等を示す情報であってもよい。なお、地図の中心座標は、現在表示中の出力部１１４に表示される地図の中心座標であってもよく、現在位置情報取得部１０２ａによって取得された最新の現在位置を示す座標であってもよい。
【００７２】
また、縮尺値送信部１０２ｇは、縮尺入力制御部１０２ｆの制御により利用者により入力された縮尺値を、サーバ装置２００に送信する縮尺値送信手段である。ここで、縮尺値送信部１０２ｇは、縮尺値とともに又は縮尺値として、縮尺入力制御部１０２ｆにより取得された中心座標や現在位置等の中心位置情報を送信してもよく、表示範囲や画面サイズや解像度等を送信してもよい。また、縮尺値送信部１０２ｇは、後述する入力判定部１０２ｋにより判定された入力種別（縮尺値の指定か設定かの種別）を示す入力種別情報を送信してもよい。
【００７３】
また、施設情報受信部１０２ｈは、サーバ装置２００から送信される、施設情報（ＰＯＩ情報等）を受信する施設情報受信手段である。ここで、施設情報受信部１０２ｈは、サーバ装置２００から送信される、地図情報を受信してもよい。また、施設情報受信部１０２ｈは、受信したＰＯＩ情報や地図情報等を記憶部１０６に格納してもよい。
【００７４】
また、施設情報出力部１０２ｊは、施設情報受信部１０２ｈにより受信された施設情報（ＰＯＩ情報）を、出力部１１４に出力する施設情報出力手段である。例えば、施設情報出力部１０２ｊは、施設情報受信部１０２ｈにより受信された又は記憶部１０６に記憶された地図情報に重畳させて、施設情報受信部１０２ｈにより受信されたＰＯＩ情報の表示要素に基づくアイコン等の描画データ等を出力部１１４に表示させてもよい。また、施設情報出力部１０２ｊは、施設情報受信部１０２ｈにより受信された推奨縮尺におけるＰＯＩ情報の音声要素に基づく音声データ等に従って、「推奨縮尺では、マップ内にコンビニが２件あります。」等の音声を出力部１１４から音声出力させてもよい。なお、設定した縮尺値に従った地図情報が施設情報受信部１０２ｈにより受信された場合は、施設情報出力部１０２ｊは、当該地図情報に従って、出力部１１４を介して現在表示中の地図の縮尺変更を行う。なお、施設情報出力部１０２ｊは、出力部１１４に表示させたアイコン等が指定された場合、当該指定されたアイコンにかかる詳細なＰＯＩ情報（ＰＯＩの名称（地点名称や施設名称等）など）やＰＯＩまでの直線距離等を更に表示させてもよい。なお、施設情報出力部１０２ｊは、同じカテゴリに属する複数または一定数以上のＰＯＩを一つのアイコンにまとめて表示している場合に、当該アイコンが指定されたときは、まず当該複数または一定数以上のＰＯＩをリスト表示し、そのリストから特定のＰＯＩが指定された場合に、上述のように詳細なＰＯＩの情報を表示してもよい。さらに、施設情報出力部１０２ｊは、詳細表示したＰＯＩが設定された場合に、地図の中心や現在位置から当該ＰＯＩまでの経路探索を行った結果を地図上に表示してもよい。なお、経路探索は、サーバ装置２００が、記憶部２０６に記憶する交通網を規定したネットワークデータに基づいて経路探索を行い、探索結果の経路情報を端末装置１００に送信してもよい。
【００７５】
また、入力判定部１０２ｋは、縮尺入力制御部１０２ｆの制御による縮尺値の入力が、指定か設定かを判断する入力判定手段である。例えば、入力判定部１０２ｋは、利用者が入力部１１６を介して縮尺値を指定（マウスオーバやシングルタップ等）したか設定（クリックやダブルタップ等）したかを判定して、判定結果の入力種別（指定または設定）を示す入力種別情報を生成してもよい。
【００７６】
以上で、第１の実施形態における施設情報提供システムの構成の一例の説明を終える。
【００７７】
［施設情報提供システムの処理］
次に、このように構成された第１の実施形態における施設情報提供システムの処理の一例について、以下に図２から図５を参照して詳細に説明する。図２は、第１の実施形態における施設情報提供システムの処理の一例を示すフローチャートである。
【００７８】
図２に示すように、まず、端末装置１００のカテゴリ入力制御部１０２ｂは、利用者により入力部１１６を介してカテゴリが入力されるよう制御する（ステップＳＡ−１）。例えば、カテゴリ入力制御部１０２ｂは、キーボード等の入力部１１６を介した文字入力や、マイク等の入力部１１６を介した音声入力等により、利用者にカテゴリを選択させてもよい。また、カテゴリ入力制御部１０２ｂは、タッチパネル等の出力部１１４と入力部１１６を連携させてＧＵＩを実現することにより、利用者にカテゴリ選択チェックボックスを介してカテゴリを入力させてもよい。ここで、図３は、出力部１１４に表示される表示画面の一例を示す図である。
【００７９】
一例として、図３に示すように、端末装置１００の出力部１１４に表示される表示画面は、地図表示領域ＭＡ−１と、当該地図表示領域ＭＡ−１に重畳表示される、スケールバー表示領域ＭＡ−２と、アイコン表示領域ＭＡ−３と、カテゴリ選択チェックボックス表示領域ＭＡ−４を含んでもよい。このうち、カテゴリ入力制御部１０２ｂの制御により表示されるカテゴリ選択チェックボックス表示領域ＭＡ−４において、利用者が、マウス等の入力部１１６を介して、「お買い物」と「グルメ／お酒」を選択すると（チェックボックスにチェック入力を行うと）、図３に示すように、カテゴリ入力制御部１０２ｂは、更に、それぞれの小分類のカテゴリを入力するための、「お買い物」カテゴリ選択チェックボックス表示領域ＭＡ−４１と、「グルメ／お酒」カテゴリ選択チェックボックス表示領域ＭＡ−４２を表示させてもよい。なお、図３の黒四角で示すように、利用者は、最終的に、「コンビニ」と「ファーストフード／丼物／軽食」のカテゴリを選択している。
【００８０】
再び図２に戻り、端末装置１００のカテゴリ情報送信部１０２ｃは、カテゴリ入力制御部１０２ｂの制御により、利用者により入力部１１６を介して入力されたカテゴリを示すカテゴリ情報を、サーバ装置２００に送信する（ステップＳＡ−２）。ここで、カテゴリ情報送信部１０２ｃは、利用者により入力されたカテゴリを示す情報のほか、現在位置情報取得部１０２ａにより取得された現在位置情報や、現在表示中の地図の中心座標等の中心位置情報、端末装置１００の出力部１１４の地図表示にかかる画面サイズや解像度等をカテゴリ情報として送信してもよい。
【００８１】
そして、サーバ装置２００のカテゴリ情報受信部２０２ａは、端末装置１００から送信されたカテゴリ情報等を受信する（ステップＳＡ−３）。
【００８２】
そして、サーバ装置２００の推奨縮尺算出部２０２ｂは、ＰＯＩデータベース２０６ｂに記憶されたＰＯＩ情報に基づいて、カテゴリ情報受信部２０２ａにより受信されたカテゴリ情報が示すカテゴリ（すなわち、利用者の所望のカテゴリ）に該当する所定数の施設（ＰＯＩ）が表示領域に含まれる地図情報の縮尺を推奨縮尺として算出する（ステップＳＡ−４）。例えば、推奨縮尺算出部２０２ｂは、ＰＯＩデータベース２０６ｂの各ＰＯＩ情報に含まれる地点情報およびカテゴリ情報を参照して、中心位置情報が示す中心座標等の周辺の、利用者の所望のカテゴリに該当するＰＯＩを探索してもよい。そして、推奨縮尺算出部２０２ｂは、現在位置や中心座標等から近い順に該当ＰＯＩを探索していき、所定数のＰＯＩを探索すると当該所定数のＰＯＩを含む矩形を、端末装置１００の出力部１１４の地図表示領域（図３の地図表示領域ＭＡ−１など）に表示した場合の縮尺を推奨縮尺として算出してもよい。また、推奨縮尺算出部２０２ｂは、順次、縮尺に対応する検索範囲を拡大させながら（例えば、現在縮尺が１／ｎとして、１／２ｎ、１／４ｎ、１／８ｎ・・・と変更しながら）当該検索範囲に含まれる所望のカテゴリのＰＯＩを探索していき、所定数に達したときの縮尺値を推奨縮尺として算出してもよい。
【００８３】
そして、サーバ装置２００の推奨縮尺情報送信部２０２ｃは、推奨縮尺算出部２０２ｂにより算出された推奨縮尺を示す推奨縮尺情報を、端末装置１００に送信する（ステップＳＡ−５）。
【００８４】
そして、端末装置１００の推奨縮尺情報受信部１０２ｄは、サーバ装置２００から送信された推奨縮尺情報を受信する（ステップＳＡ−６）。
【００８５】
そして、端末装置１００の推奨縮尺出力部１０２ｅは、推奨縮尺情報受信部１０２ｄにより受信された推奨縮尺情報を、出力部１１４に出力する（ステップＳＡ−７）。ここで、推奨縮尺出力部１０２ｅは、縮尺入力制御部１０２ｆにより表示されるスライドバー上の、推奨縮尺に対応する位置を強調表示させてもよい。ここで、図４および図５は、縮尺入力制御部１０２ｆの制御により表示されるスライド式のスケールバーとオブジェクト列のスケールバー上で、推奨縮尺出力部１０２ｅにより強調表示された推奨縮尺の例を示す図である。
【００８６】
図４に示すように、一例として、縮尺入力制御部１０２ｆが、スライド式のスケールバーを出力部１１４に表示して、利用者にマウス等の入力部１１６を介してスケールバー上でスライドバーを移動させて縮尺値を取得する場合、縮尺入力制御部１０２ｆは、当該スライドバー上の、推奨縮尺に対応する位置を強調表示させてもよい（図の斜線部）。なお、図４の例では、強調表示とともに、当該推奨縮尺で表示した場合に含まれるＰＯＩのカテゴリを示すアイコンがポップアップ表示されている（図３のアイコン表示領域ＭＡ−３参照）。また、図５に示すように、一例として、縮尺入力制御部１０２ｆが、オブジェクト列のスケールバーを出力部１１４に表示して、利用者にマウス等の入力部１１６を介してスケールバー上でオブジェクトを選択させて縮尺値を取得する場合、推奨縮尺出力部１０２ｅは、当該オブジェクト列の中の、推奨縮尺に対応するオブジェクトを強調表示させてもよい。なお、スケールバー（縮尺入力手段）は、図４および図５に図示されるものに限らず、例えば、幹とシンボル（目盛）で表現されるスケールバーであってもよい。また、推奨縮尺出力部１０２ｅによる強調表示の態様としては、一例として、色や、点滅表示、太さ、拡大等による強調表示であってもよい。なお、上述の例では、推奨縮尺出力部１０２ｅは、推奨縮尺情報を出力部１１４に表示出力する例について説明したが、これに限らず、推奨縮尺情報をスピーカ等の出力部１１４に音声出力してもよい。例えば、推奨縮尺出力部１０２ｅは、推奨縮尺情報に従って「推奨縮尺は、５万分の１です。」等の音声を出力してもよい。
【００８７】
以上が、第１の実施形態における施設情報提供システムの処理の概要である。ここで、上述のように推奨縮尺が出力された以降の処理として、以下に一例として示すように、利用者に、縮尺値を入力させるよう制御し、縮尺値に基づいてＰＯＩ情報（ＰＯＩ件数等）を提示してもよい。
【００８８】
すなわち、端末装置１００の縮尺入力制御部１０２ｆは、利用者により入力部１１６を介して縮尺値が入力されるよう制御し、入力された縮尺値を取得する（ステップＳＡ−８）。例えば、縮尺入力制御部１０２ｆは、出力部１１４と入力部１１６を連携させてスケールバー等を用いたＧＵＩを提供することにより、利用者に縮尺値を入力させてもよい。例えば、縮尺入力制御部１０２ｆは、縮尺値を入力（指定または設定）させるため、図４および図５で上述したようなスライド式やオブジェクト列のスケールバーを出力部１１４に表示させ、利用者により入力部１１６を介してスケールバー上で入力（指定または設定）された位置に対応する縮尺値を取得してもよい。なお、縮尺入力制御部１０２ｆは、スケールバーを介して縮尺値を入力させることに限らず、マイク等の入力部１１６を介した音声入力や、テンキー等の入力部１１６を介した数値入力等によって、縮尺値を取得してもよい。また、このステップＳＡ−８において、入力判定部１０２ｋは、縮尺入力制御部１０２ｆの制御による縮尺値の入力が、指定か設定かを判断してもよい。例えば、入力判定部１０２ｋは、利用者が入力部１１６を介して縮尺値を指定（マウスオーバやシングルタップ等）したか設定（クリックやダブルタップ等）したかを判定して、判定結果の入力種別（指定または設定）を示す入力種別情報を生成してもよい。
【００８９】
そして、端末装置１００の縮尺値送信部１０２ｇは、縮尺入力制御部１０２ｆの制御により利用者により入力部１１６を介して入力された縮尺値を、サーバ装置２００に送信する（ステップＳＡ−９）。ここで、縮尺値送信部１０２ｇは、入力判定部１０２ｋにより判定された入力種別（縮尺値の指定か設定かの種別）を示す入力種別情報を送信してもよい。
【００９０】
そして、サーバ装置２００の縮尺値受信部２０２ｄは、端末装置１００から送信された上述の情報（縮尺値や中心位置情報や入力種別情報等）を受信する（ステップＳＡ−１０）。
【００９１】
そして、サーバ装置２００の検索範囲設定部２０２ｅは、縮尺値受信部２０２ｄにより受信された縮尺値に基づいて検索範囲を設定する（ステップＳＡ−１１）。例えば、検索範囲設定部２０２ｅは、縮尺値受信部２０２ｄにより受信された縮尺値で地図を表示する場合の表示範囲（地図表示領域）を算出して検索範囲として設定してもよい。その際、検索範囲設定部２０２ｅは、カテゴリ情報受信部２０２ａによりカテゴリ情報として受信された、中心位置情報に基づく中心座標または現在位置を中心とした地図の表示範囲を検索範囲として算出してもよい。また、検索範囲設定部２０２ｅは、端末装置１００の出力部１１４の画面サイズ、および、端末装置１００の出力部１１４の解像度等に基づいて、指定された縮尺値の地図の地図情報の出力部１１４での表示範囲を算出してもよい。なお、検索範囲設定部２０２ｅは、縮尺値受信部２０２ｄにより受信された入力種別情報が縮尺値の指定を示す場合にのみ、当該縮尺値に基づいて検索範囲を設定してもよい。
【００９２】
そして、サーバ装置２００の施設検索部２０２ｆは、検索範囲設定部２０２ｅにより設定された検索範囲内の、カテゴリ情報により指定されたカテゴリに該当するＰＯＩをＰＯＩデータベース２０６ｂから検索する（ステップＳＡ−１２）。例えば、施設検索部２０２ｆは、ＰＯＩデータベース２０６ｂに記憶されたＰＯＩ情報の地点情報（緯度経度等）に基づく地点が検索範囲内にあるＰＯＩを抽出することにより、ＰＯＩ検索を実行してもよい。
【００９３】
そして、サーバ装置２００の施設情報編集部２０２ｇは、施設検索部２０２ｆにより検索されたＰＯＩのＰＯＩ情報を出力用に編集する（ステップＳＡ−１３）。ここで、施設情報編集部２０２ｇは、施設検索部２０２ｆにより検索されたＰＯＩに代えて又は加えて、推奨縮尺算出部２０２ｂにより算出された推奨縮尺に対応する表示領域に含まれるＰＯＩのＰＯＩ情報を出力用に編集してもよい。一例として、施設情報編集部２０２ｇは、施設検索部２０２ｆにより検索されたＰＯＩを示すアイコンが、利用者の入力に関連付けて所定の位置に表示（例えば、ポイント位置に対応付けたポップアップ表示）されるように、ＰＯＩ情報の表示要素を編集してもよい。また、施設情報編集部２０２ｇは、ＰＯＩ情報のカテゴリに従ったアイコンを生成することで、ＰＯＩ情報の表示要素を編集してもよい。
【００９４】
そして、サーバ装置２００の施設情報送信部２０２ｈは、施設情報編集部２０２ｇにより編集されたＰＯＩ情報を、端末装置１００に送信する（ステップＳＡ−１４）。ここで、施設情報送信部２０２ｈは、縮尺値受信部２０２ｄにより受信された入力種別情報が縮尺値の設定を示す場合、当該縮尺値に従った縮尺の地図情報を地図データベース２０６ａから取得して端末装置１００に送信してもよい。
【００９５】
そして、端末装置１００の施設情報受信部１０２ｈは、サーバ装置２００から送信されたＰＯＩ情報等を受信する（ステップＳＡ−１５）。ここで、施設情報受信部１０２ｈは、サーバ装置２００から送信される、地図情報を受信してもよい。また、施設情報受信部１０２ｈは、受信したＰＯＩ情報や地図情報等を記憶部１０６に格納してもよい。
【００９６】
そして、端末装置１００の施設情報出力部１０２ｊは、施設情報受信部１０２ｈにより受信されたＰＯＩ情報を、出力部１１４に出力する（ステップＳＡ−１６）。例えば、施設情報出力部１０２ｊは、施設情報受信部１０２ｈにより受信された又は記憶部１０６に記憶された地図情報に重畳させて、施設情報受信部１０２ｈにより受信されたＰＯＩ情報の表示要素に基づくアイコン等の描画データ等を出力部１１４に表示させてもよい（上述した図３のアイコン表示領域ＭＡ−３参照）。なお、施設情報出力部１０２ｊは、出力部１１４に表示させたアイコン等が利用者により入力部１１６を介して指定された場合、当該指定されたアイコンにかかる詳細なＰＯＩ情報（ＰＯＩの名称（地点名称や施設名称等）等）やＰＯＩまでの直線距離等を更に表示させてもよい。なお、施設情報出力部１０２ｊは、表示出力することに限らず、施設情報受信部１０２ｈにより受信された推奨縮尺におけるＰＯＩ情報の音声要素に基づく音声データ等に従って、「推奨縮尺では、マップ内にコンビニが２件あります。」等の音声を出力部１１４から音声出力させてもよい。
【００９７】
以上が、第１の実施形態における施設情報提供システムの処理の一例である。なお、上述の例では、ステップＳＡ−４において推奨縮尺を示す推奨縮尺情報が端末装置１００に送信される例について説明したが、同時に、当該推奨縮尺に従って検索され編集されたＰＯＩ情報が推奨縮尺情報とともに送信されてもよい。また、上述した処理は繰り返し行われてもよい。例えば、利用者が何度か繰り返しカテゴリを入力しなおす毎にリアルタイムに推奨縮尺を提供するようステップＳＡ−１〜ＳＡ−７の処理を繰り返してもよい。また、利用者が何度か繰り返し複数の縮尺値を指定する毎にリアルタイムにＰＯＩ情報を提供し、最終的に利用者が所望の縮尺値を発見して設定した場合に、ＰＯＩ情報に代えて又はＰＯＩ情報とともに当該縮尺値の地図情報が送受信されるようステップＳＡ−８〜ＳＡ−１６の処理を繰り返してもよい。すなわち、サーバ装置２００は、縮尺値の設定を示す入力種別情報を受信した場合に、当該縮尺値の地図情報を端末装置１００に送信し、端末装置１００は、設定した縮尺値に従った地図情報が施設情報受信部１０２ｈにより受信した場合に、施設情報出力部１０２ｊの制御により、当該地図情報に従って、出力部１１４を介して現在表示中の地図の縮尺変更を行ってもよい。
【００９８】
［第２の実施形態］
続いて、本発明の第２の実施形態（サーバ装置２００（サーバ主導型））について、図６および図７を参照して以下に説明する。ここで、図６は、第２の実施形態におけるサーバ装置２００の構成の一例を示すブロック図であり、該構成のうち本発明に関係する部分のみを概念的に示している。また、図７は、第２の実施形態におけるサーバ装置２００の処理の一例を示すフローチャートである。
【００９９】
なお、第２の実施形態においては、サーバ装置２００にて端末装置１００の出力部１１４に表示させるデータを生成し、これらのデータを端末装置１００に送信することにより、当該端末装置１００の出力部１１４を機能させている。このように、第２の実施形態は、サーバ装置２００にてサーバ主導で処理を行う点がその他の実施形態と異なる。
【０１００】
［サーバ装置２００（サーバ主導型）の構成］
まず、第２の実施形態におけるサーバ装置２００（サーバ主導型）の構成の一例について、図６を参照して以下に説明する。
【０１０１】
図６に示すように、本発明の第２の実施形態のサーバ装置２００は、位置取得部１１２と出力部１１４と入力部１１６とを少なくとも備えた端末装置１００に通信可能に接続され、制御部２０２と記憶部２０６とを少なくとも備える。通信には、一例として、ネットワーク３００を介した有線・無線通信等の遠隔通信等を含む。また、これらサーバ装置２００および端末装置１００の各部は任意の通信路を介して通信可能に接続されている。
【０１０２】
図６において、サーバ装置２００は、端末装置１００から送信される、利用者により入力された地図情報の縮尺値を受信し、受信した縮尺値に基づいて検索範囲を設定し、設定した検索範囲内の施設を検索し、検索した施設の施設情報を出力用に編集し、編集した施設情報を地図情報に重畳させた表示画面を生成し、生成した表示画面を表示させるための出力制御情報を端末装置１００に送信することにより、端末装置１００の出力部１１４から当該表示画面を出力させる等の機能を有する。
【０１０３】
なお、サーバ装置２００における通信制御インターフェース部２０４および記憶部２０６（地図データベース２０６ａ、および、ＰＯＩデータベース２０６ｂ等）の機能、また、端末装置１００における位置取得部１１２、出力部１１４、および、入力部１１６、並びに、位置発信装置５００、ネットワーク３００、および、外部機器６００の機能は、第１の実施形態と同様であるため説明を省略する。
【０１０４】
また、図６において、制御部２０２は、ＯＳ等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、推奨縮尺算出部２０２ｂ、検索範囲設定部２０２ｅ、施設検索部２０２ｆ、施設情報編集部２０２ｇ、入力制御部２０２ｊ、表示画面生成部２０２ｋ、および、出力制御部２０２ｍを備える。なお、推奨縮尺算出部２０２ｂ、検索範囲設定部２０２ｅ、施設検索部２０２ｆ、および、施設情報編集部２０２ｇの機能は、第１の実施形態と同様であるため説明を省略する。
【０１０５】
このうち、入力制御部２０２ｊは、端末装置１００から送信される、利用者により入力されたカテゴリや縮尺値等の入力信号を受信する入力制御手段である。例えば、入力制御部２０２ｊは、端末装置１００から送信される、利用者により入力部１１６を介して入力されたカテゴリに関する入力信号を受信してカテゴリ情報を受信するカテゴリ情報受信手段として機能する。ここで、入力制御部２０２ｊは、ＧＵＩを介して利用者にカテゴリや縮尺値等が入力されるようカテゴリ選択チェックボックスやスケールバー等の描画データを端末装置１００に送信して出力部１１４に表示させてもよい。また、入力制御部２０２ｊは、カテゴリ情報や縮尺値等を直接受信することに限らず、ポインタの位置情報（座標等）を受信することにより、送信済のカテゴリ選択チェックボックスやスケールバー上で対応するカテゴリや縮尺値等を求めてもよい。例えば、入力制御部２０２ｊは、利用者に入力部１１６を介して、出力部１１４に表示された表示画面上で指定または設定（例えば、タッチパネル式の出力部１１４でのタップ操作等）させた座標を入力信号として受信してもよい。なお、入力制御部２０２ｊは、マイク等の入力部１１６から入力された音声信号を受信して、音声解析を行うことによりカテゴリ情報や縮尺値等を取得してもよい。このほか、入力制御部２０２ｊは、カテゴリや縮尺値を利用者に入力させることに限らず、同様の方法で、表示中の地図の中心位置情報や、位置取得部１１２にて取得された位置情報信号、表示範囲や画面サイズや解像度等を取得してもよい。また、入力制御部２０２ｊは、受信した入力信号に基づいて、当該入力が指定か設定かの入力種別を判定してもよい。
【０１０６】
また、表示画面生成部２０２ｋは、推奨縮尺算出部２０２ｂにより算出された推奨縮尺等を含む表示画面を生成する表示画面生成手段である。ここで、表示画面生成部２０２ｋは、入力制御部２０２ｊの制御による利用者に縮尺値を入力させるための、スライド式やオブジェクト列等のスケールバー（縮尺入力手段）に対応付けて推奨縮尺を提示してもよい。例えば、表示画面生成部２０２ｋは、入力制御部２０２ｊの制御により表示されるスライドバー上の、推奨縮尺に対応する位置を強調表示させた表示画面を生成してもよい。また、表示画面生成部２０２ｋは、入力制御部２０２ｊにより表示されるオブジェクト列の、推奨縮尺に対応するオブジェクトを強調表示させた表示画面を生成してもよい。強調表示の一例として、表示画面生成部２０２ｋは、対応部分の色変更や、点滅表示、太さ変更、拡大等を行ってもよい。
【０１０７】
ここで、表示画面生成部２０２ｋは、施設情報編集部２０２ｇにより編集された施設情報（ＰＯＩ情報）を、地図データベース２０６ａに記憶された地図情報に重畳させた表示画面を生成してもよい。例えば、入力制御部２０２ｊにより利用者に指定された縮尺値が取得された場合、表示画面生成部２０２ｋは、施設情報編集部２０２ｇにより編集されたＰＯＩ情報（アイコン等の表示要素等）を、地図データベース２０６ａに記憶された元の縮尺値の地図情報上に重畳させた表示画面を生成してもよい。一方、入力制御部２０２ｊにより利用者に設定された縮尺値が取得された場合、表示画面生成部２０２ｋは、地図データベース２０６ａに記憶された当該設定後の縮尺値の地図情報による地図を含む表示画面を生成してもよい。なお、その際、表示画面生成部２０２ｋは、当該表示画面に表示させる地図範囲内のＰＯＩをＰＯＩデータベース２０６ｂから取得し、取得したＰＯＩ情報の地点情報に従って当該ＰＯＩのアイコン等を地図上に重畳させてもよい。ここで、表示画面生成部２０２ｋは、地図情報およびＰＯＩ情報に従った表示画面に加え、入力制御部２０２ｊによる縮尺値等の取得のためのスケールバーを含む表示画面を生成してもよい。
【０１０８】
また、出力制御部２０２ｍは、表示画面生成部２０２ｋにより生成された表示画面を表示させるための出力制御情報を端末装置１００に送信することにより、端末装置１００の出力部１１４から当該表示画面を出力させる出力制御手段である。ここで、出力制御部２０２ｍは、更に、推奨縮尺に基づいて施設情報編集部２０２ｇにより編集されたＰＯＩ情報の音声要素に従って、「推奨縮尺では、マップ内にコンビニが２件あります。」等の音声データを含む出力制御情報を端末装置１００に送信することにより、端末装置１００の音声出力手段として機能する出力部１１４を介して音声出力を行わせてもよい。
【０１０９】
以上で、第２の実施形態におけるサーバ装置２００の構成の一例の説明を終える。
【０１１０】
［サーバ装置２００（サーバ主導型）の処理］
次に、このように構成された第２の実施形態におけるサーバ装置２００の処理の一例について、以下に図７を参照して詳細に説明する。
【０１１１】
図７に示すように、まず、端末装置１００が利用者により入力部１１６を介して入力された入力信号をサーバ装置２００に送信すると（ステップＳＢ−１）、サーバ装置２００の入力制御部２０２ｊは、端末装置１００から送信された入力信号に基づいて、カテゴリ情報等を取得する（ステップＳＢ−２）。例えば、入力制御部２０２ｊは、端末装置１００から送信される、利用者により入力部１１６を介して入力されたカテゴリに関する入力信号を受信してカテゴリ情報を受信してもよい。ここで、入力制御部２０２ｊは、ＧＵＩを介して利用者にカテゴリが入力されるようカテゴリ選択チェックボックス（図３のＭＡ−４参照）等の描画データを端末装置１００に送信して出力部１１４に表示させてもよい。また、入力制御部２０２ｊは、カテゴリ情報を直接受信することに限らず、ポインタの位置情報（座標等）を受信することにより、送信済のカテゴリ選択チェックボックス上でクリック等された座標に対応するカテゴリを求めてもよい。なお、入力制御部２０２ｊは、マイク等の入力部１１６から入力された音声信号を受信して、音声解析を行うことによりカテゴリ情報等を取得してもよい。
【０１１２】
そして、サーバ装置２００の推奨縮尺算出部２０２ｂは、ＰＯＩデータベース２０６ｂに記憶された施設情報（ＰＯＩ情報）に基づいて、入力制御部２０２ｊにより取得されたカテゴリ情報が示すカテゴリ（すなわち、利用者の所望のカテゴリ）に該当する所定数の施設（ＰＯＩ）が表示領域に含まれる地図情報の縮尺を推奨縮尺として算出する（ステップＳＢ−３）。例えば、推奨縮尺算出部２０２ｂは、現在位置等の周辺の、利用者の所望のカテゴリのＰＯＩを近い順にＰＯＩデータベース２０６ｂから探索し、所定数のＰＯＩが探索されると当該所定数のＰＯＩを含む矩形（表示領域）を表示する場合の縮尺を推奨縮尺として算出してもよい。また、推奨縮尺算出部２０２ｂは、順次、検索範囲を拡大させながら当該検索範囲に含まれる所望のカテゴリのＰＯＩを探索していき、所定数に達したときの検索範囲から推奨縮尺を算出してもよい。
【０１１３】
そして、サーバ装置２００の表示画面生成部２０２ｋは、推奨縮尺算出部２０２ｂにより算出された推奨縮尺等を含む表示画面を生成する（ステップＳＢ−４）。ここで、表示画面生成部２０２ｋは、入力制御部２０２ｊの制御による利用者に縮尺値を入力させるための、スライド式やオブジェクト列等のスケールバー（縮尺入力手段）に対応付けて推奨縮尺を提示してもよい。例えば、表示画面生成部２０２ｋは、入力制御部２０２ｊの制御により表示されるスライドバー上の、推奨縮尺に対応する位置を強調表示（図４参照）させた表示画面を生成してもよい。また、表示画面生成部２０２ｋは、入力制御部２０２ｊにより表示されるオブジェクト列の、推奨縮尺に対応するオブジェクトを強調表示（図５参照）させた表示画面を生成してもよい。強調表示の一例として、表示画面生成部２０２ｋは、対応部分の色変更や、点滅表示、太さ変更、拡大等を行ってもよい。
【０１１４】
そして、サーバ装置２００の出力制御部２０２ｍは、表示画面生成部２０２ｋにより生成された表示画面を表示させるための出力制御情報を端末装置１００に送信することにより（ステップＳＢ−５）、端末装置１００の出力部１１４から当該表示画面を出力させる（ステップＳＢ−６）。
【０１１５】
以上が、第２の実施形態におけるサーバ装置２００の処理の概要である。ここで、上述のように推奨縮尺が出力された以降の処理として、以下に一例として示すように、利用者に、縮尺値を入力させるよう制御し、縮尺値に基づいてＰＯＩ情報（ＰＯＩ件数等）を提示してもよい。
【０１１６】
すなわち、図７に示すように、端末装置１００が利用者により入力部１１６を介して入力された入力信号をサーバ装置２００に送信すると（ステップＳＢ−７）、サーバ装置２００の入力制御部２０２ｊは、端末装置１００から送信された入力信号に基づいて、縮尺値等を取得する（ステップＳＢ−８）。なお、ステップＳＢ−４において上述したように、予め、入力制御部２０２ｊは、縮尺値を入力させるためのスケールバー等を、表示画面生成部２０２ｋにより表示される表示画面に含めておいてもよい。そして、入力制御部２０２ｊは、スケールバーを介して利用者により入力部１１６を介して入力された入力信号を受信することによりスケールバーの位置に対応する縮尺値を取得してもよい。より具体的には、入力制御部２０２ｊは、利用者に入力部１１６を介して、出力部１１４に表示された表示画面上で指定または設定（例えば、タッチパネル式の出力部１１４でのタップ操作等）させた座標を入力信号として受信し、当該入力信号による座標に対応するスケールバーの位置（目盛）等を読み取ることにより縮尺値を得てもよい。なお、これに限られず、入力制御部２０２ｊは、マイク等の入力部１１６から入力された音声信号を受信して、音声解析を行うことにより縮尺値等を取得してもよい。なお、入力制御部２０２ｊは、受信した入力信号に基づいて、当該入力が指定か設定かの入力種別を判定してもよい。
【０１１７】
そして、サーバ装置２００は、検索範囲設定部２０２ｅの処理により、入力制御部２０２ｊにより取得された縮尺値に基づいて検索範囲を設定し（ステップＳＢ−９）、施設検索部２０２ｆの処理により、検索範囲設定部２０２ｅにより設定された検索範囲内のＰＯＩをＰＯＩデータベース２０６ｂから検索し（ステップＳＢ−１０）、施設情報編集部２０２ｇの処理により、施設検索部２０２ｆにより検索されたＰＯＩのＰＯＩ情報を出力用に編集する（ステップＳＢ−１１）。なお、これらステップＳＢ−９〜ＳＢ−１１の処理は、上述した第１の実施形態におけるステップＳＡ−１１〜ＳＡ−１３までの処理と同様であるので、具体的な処理の説明を省略する。
【０１１８】
そして、サーバ装置２００の表示画面生成部２０２ｋは、施設情報編集部２０２ｇにより編集されたＰＯＩ情報を地図情報に重畳させた表示画面を生成する（ステップＳＢ−１２）。例えば、入力制御部２０２ｊにより利用者に指定された縮尺値が取得された場合、表示画面生成部２０２ｋは、施設情報編集部２０２ｇにより編集されたＰＯＩ情報（アイコン等の表示要素等）を、地図データベース２０６ａに記憶された元の縮尺値の地図情報上に重畳させた表示画面を生成してもよい。なお、表示画面生成部２０２ｋは、施設検索部２０２ｆにより検索されたＰＯＩに代えて又は加えて、推奨縮尺算出部２０２ｂにより算出された推奨縮尺に対応する表示領域に含まれるＰＯＩのＰＯＩ情報を出力用に編集した表示画面を生成してもよい。また、入力制御部２０２ｊにより利用者に設定された縮尺値が取得された場合、表示画面生成部２０２ｋは、地図データベース２０６ａに記憶された当該設定後の縮尺値の地図情報による地図上に、当該地図範囲内のＰＯＩデータベース２０６ｂから抽出されたＰＯＩのアイコン等を重畳させた表示画面を生成してもよい。ここで、表示画面生成部２０２ｋは、地図情報およびＰＯＩ情報に従った表示画面に加え、入力制御部２０２ｊによる縮尺値等の取得のためのスケールバーを含む表示画面を生成してもよい。
【０１１９】
そして、サーバ装置２００の出力制御部２０２ｍは、表示画面生成部２０２ｋにより生成された表示画面を表示させるための出力制御情報を端末装置１００に送信することにより（ステップＳＢ−１３）、端末装置１００の出力部１１４から当該表示画面を出力させる（ステップＳＢ−１４）。ここで、出力制御部２０２ｍは、更に、推奨縮尺に基づいて施設情報編集部２０２ｇにより編集されたＰＯＩ情報の音声要素に従って、「推奨縮尺では、マップ内にコンビニが２件あります。」等の音声データを含む出力制御情報を端末装置１００に送信することにより、端末装置１００の音声出力手段として機能する出力部１１４を介して音声出力を行わせてもよい。
【０１２０】
以上が、第２の実施形態におけるサーバ装置２００の基本的な処理の一例である。ここで、サーバ装置２００は、以上のステップＳＢ−１〜ＳＢ−６およびステップＳＢ−７〜ＳＢ−１４の処理を繰り返し行うことにより、利用者の要求（カテゴリを絞り込むための小分類のカテゴリ情報の追加等）や、現在位置情報等の中心位置情報の更新等に応じて、表示された地図や地図上のＰＯＩ情報がリアルタイムに更新されるよう制御してもよい。また、上述の例では、表示画面生成部２０２ｋは、ステップＳＢ−４において推奨縮尺を強調表示等した表示画面を生成したが、同時に、ステップＳＢ−１２で行うように当該推奨縮尺に従って検索され編集したＰＯＩ情報を含む表示画面を生成してもよい。
【０１２１】
［第３の実施形態］
続いて、本発明の第３の実施形態（施設情報提供装置４００（スタンドアローン型））について、図８および図９を参照して以下に説明する。ここで、図８は、第３の実施形態における施設情報提供装置４００の構成の一例を示すブロック図であり、該構成のうち本発明に関係する部分のみを概念的に示している。また、図９は、第３の実施形態における施設情報提供装置４００の処理の一例を示すフローチャートである。
【０１２２】
なお、第３の実施形態においては、全ての機能を施設情報提供装置４００に集約し、ネットワーク３００を介した施設情報提供システムとして構成することなく、利用者により入力部４１６を介してカテゴリが入力されるよう制御し、記憶する施設情報に基づいて、入力されたカテゴリに該当する所定数の施設が表示領域に含まれる地図情報の縮尺を推奨縮尺として算出し、算出した推奨縮尺を出力させる等の機能を有する。このように、第３の実施形態は、施設情報提供装置４００がスタンドアローン型に構成され単独で処理を行う点がその他の実施形態と異なる。
【０１２３】
［施設情報提供装置４００（スタンドアローン型）の構成］
まず、第３の実施形態における施設情報提供装置４００（スタンドアローン型）の構成の一例について、図８を参照して以下に説明する。
【０１２４】
図８に示すように、本発明の第３の実施形態の施設情報提供装置４００は、位置取得部４１２と出力部４１４と入力部４１６と制御部４０２と記憶部４０６とを備える。これら施設情報提供装置４００の各部は任意の通信路を介して通信可能に接続されてもよい。施設情報提供装置４００は、例えば、ＰＮＤ（Ｐｏｒｔａｂｌｅ  Ｎａｖｉｇａｔｉｏｎ  Ｄｅｖｉｃｅ）等の各種ナビゲーション端末、ノート型のパーソナルコンピュータ等の各種情報処理装置、または、携帯電話やＰＨＳやＰＤＡ等の携帯端末装置等であってもよい。
【０１２５】
図８において、入出力制御インターフェース部４０８、通信制御インターフェース部４０４、位置取得部４１２、出力部４１４、および、入力部４１６、並びに、ネットワーク３００、外部機器６００、および、位置発信装置５００の各機能は、第１の実施形態と同様であるため説明を省略する。また、記憶部４０６の各部（地図データベース４０６ａ、および、ＰＯＩデータベース４０６ｂ等）についても、サーバ装置２００ではなく施設情報提供装置４００に備えられている点を除き、各機能が第１の実施形態と同様であるため説明を省略する。
【０１２６】
また、制御部４０２の各部については、本実施形態の施設情報提供装置４００がスタンドアローン型であり、制御部４０２が各送信部を備えていない点を除き、各機能は第１の実施形態と基本的に同様である。
【０１２７】
また、図８において、制御部４０２は、ＯＳ等の制御プログラムや、各種の処理手順等を規定したプログラム、および、所要データを格納するための内部メモリを有する。そして、制御部４０２は、これらのプログラム等により、種々の処理を実行するための情報処理を行う。制御部４０２は、機能概念的に、現在位置情報取得部４０２ａ、カテゴリ入力制御部４０２ｂ、推奨縮尺算出部４０２ｃ、推奨縮尺出力部４０２ｄ、縮尺入力制御部４０２ｅ、検索範囲設定部４０２ｆ、施設検索部４０２ｇ、施設情報編集部４０２ｈ、施設情報出力部４０２ｊ、入力判定部４０２ｋ、および、地図出力部４０２ｍを備える。このうち、現在位置情報取得部４０２ａ、カテゴリ入力制御部４０２ｂ、推奨縮尺算出部４０２ｃ、推奨縮尺出力部４０２ｄ、縮尺入力制御部４０２ｅ、検索範囲設定部４０２ｆ、施設検索部４０２ｇ、施設情報編集部４０２ｈ、および、入力判定部４０２ｋの機能は、第１の実施形態における、現在位置情報取得部１０２ａ、カテゴリ入力制御部１０２ｂ、推奨縮尺算出部２０２ｂ、推奨縮尺出力部１０２ｅ、縮尺入力制御部１０２ｆ、検索範囲設定部２０２ｅ、施設検索部２０２ｆ、施設情報編集部２０２ｇ、および、入力判定部１０２ｋの機能と同様であるので説明を省略する。
【０１２８】
このうち、施設情報出力部４０２ｊは、施設情報編集部４０２ｈにより出力用に編集された施設情報（ＰＯＩ情報）を、出力部４１４に出力する施設情報出力手段である。例えば、施設情報出力部４０２ｊは、後述する地図出力部４０２ｍの制御により出力される地図情報に重畳させて、施設情報編集部４０２ｈにより編集されたＰＯＩ情報の表示要素に基づくアイコン等の描画データ等を出力部４１４に出力表示させてもよい。また、施設情報出力部４０２ｊは、推奨縮尺に基づいて施設情報編集部４０２ｈにより編集された推奨縮尺に従ったＰＯＩ情報の音声要素に基づく音声データ等に従って、「推奨縮尺では、マップ内にコンビニが２件あります。」等の音声を出力部４１４から音声出力させてもよい。なお、入力判定部４０２ｋにより縮尺値の入力種別が指定と判定された場合のみ、縮尺値に基づいて設定された検索範囲内の編集されたＰＯＩ情報を、施設情報出力部４０２ｊは、地図出力部４０２ｍにより表示される元の縮尺の地図上に重畳させて、出力部４１４を介して表示出力してもよい。また、出力部４１４に表示させたＰＯＩのアイコン等が利用者により入力部４１６を介して指定された場合、施設情報出力部４０２ｊは、当該指定されたアイコンにかかる詳細なＰＯＩ情報（ＰＯＩの名称（地点名称や施設名称等）など）やＰＯＩまでの直線距離等を更に表示させてもよい。なお、施設情報出力部４０２ｊは、同じカテゴリに属する複数または一定数以上のＰＯＩを一つのアイコンにまとめて表示している場合に、当該アイコンが指定されたときは、まず当該複数または一定数以上のＰＯＩをリスト表示し、そのリストから特定のＰＯＩが指定された場合に、上述のように詳細なＰＯＩの情報を表示してもよい。さらに、施設情報出力部４０２ｊは、詳細表示したＰＯＩが設定された場合に、記憶部４０６に記憶する、交通網を規定したネットワークデータに基づいて、地図の中心や現在位置から当該ＰＯＩまでの経路探索を行った結果を地図上に表示してもよい。
【０１２９】
また、地図出力部４０２ｍは、地図データベース４０６ａに記憶される地図情報を出力部４１４を介して出力する地図出力手段である。ここで、地図出力部４０２ｍは、入力判定部４０２ｋにより縮尺値が設定されたと判定された場合に、当該縮尺値の地図情報を地図データベース４０６ａから取得して出力部４１４に表示して縮尺変更を行ってもよい。
【０１３０】
以上で、第３の実施形態における施設情報提供装置４００の構成の一例の説明を終える。
【０１３１】
［施設情報提供装置４００（スタンドアローン型）の処理］
次に、このように構成された第３の実施形態における施設情報提供装置４００の処理の一例について、以下に図９を参照して詳細に説明する。
【０１３２】
図９に示すように、まず、カテゴリ入力制御部４０２ｂは、利用者により入力部４１６を介してカテゴリが入力されるよう制御する（ステップＳＣ−１）。ここで、カテゴリ入力制御部４０２ｂは、出力部４１４と入力部４１６を連携させてＧＵＩを実現することにより、利用者にカテゴリ選択チェックボックス等のカテゴリ入力手段を介してカテゴリ等を選択入力させてもよい。そのほか、カテゴリ入力制御部４０２ｂは、キーボード等の入力部４１６を介した文字入力や、マイク等の入力部４１６を介した音声入力等により、利用者にカテゴリを入力させてもよい。
【０１３３】
そして、推奨縮尺算出部４０２ｃは、ＰＯＩデータベース４０６ｂに記憶されたＰＯＩ情報に基づいて、カテゴリ入力制御部４０２ｂの制御により利用者に入力部４１６を介して入力されたカテゴリに該当する所定数のＰＯＩが表示領域に含まれる地図情報の縮尺を推奨縮尺として算出する（ステップＳＣ−２）。例えば、推奨縮尺算出部４０２ｃは、地図中心や現在位置等の周辺の、利用者の所望のカテゴリのＰＯＩを近い順にＰＯＩデータベース４０６ｂから探索し、所定数のＰＯＩが探索されると当該所定数のＰＯＩを含む矩形（表示領域）を表示する場合の縮尺を推奨縮尺として算出してもよい。なお、各縮尺の表示領域を把握するため、推奨縮尺算出部４０２ｃは、記憶部４０６に予め設定された又は利用者に入力部４１６を介して設定させた、表示中の地図の中心位置情報や、表示範囲や画面サイズや解像度、位置取得部４１２にて取得された位置情報信号等を用いてもよい。また、推奨縮尺算出部４０２ｃは、順次、検索範囲を拡大させながら当該検索範囲に含まれる所望のカテゴリのＰＯＩを探索していき、所定数に達したときの検索範囲から推奨縮尺を算出してもよい。
【０１３４】
そして、推奨縮尺出力部４０２ｄは、推奨縮尺算出部４０２ｂにより算出された推奨縮尺を、出力部４１４を介して出力させる（ステップＳＣ−３）。ここで、推奨縮尺出力部４０２ｄは、縮尺入力制御部４０２ｅの制御による、利用者に入力部４１６を介して縮尺値を入力させるための、スライド式やオブジェクト列等のスケールバー（縮尺入力手段）に対応付けて推奨縮尺を提示してもよい。例えば、推奨縮尺出力部４０２ｄは、縮尺入力制御部４０２ｅにより表示されるスケールバー上の、推奨縮尺に対応する位置を強調表示させてもよい。また、推奨縮尺出力部４０２ｄは、縮尺入力制御部４０２ｅにより表示されるオブジェクト列の、推奨縮尺に対応するオブジェクトを強調表示させてもよい。一例として、推奨縮尺出力部４０２ｄは、色や、点滅表示、太さ、拡大等により強調表示を行ってもよい。また、推奨縮尺出力部４０２ｄは、推奨縮尺を表示出力することに限らず、スピーカ等の出力部４１４を介して、「推奨縮尺では、マップ内にコンビニが２件あります。」等の音声を出力してもよい。ここで、施設情報編集部４０２ｈは、推奨縮尺算出部４０２ｃにより算出された推奨縮尺に対応する表示領域に含まれるＰＯＩのＰＯＩ情報を出力用に編集し、推奨縮尺出力部４０２ｄは、編集されたＰＯＩ情報を出力部４１４に出力してもよい。
【０１３５】
以上が、第３の実施形態における施設情報提供装置４００の処理の概要である。ここで、上述のように推奨縮尺が出力された以降の処理として、以下に一例として示すように、利用者に、縮尺値を入力させるよう制御し、縮尺値に基づいてＰＯＩ情報（ＰＯＩ件数等）を提示してもよい。
【０１３６】
すなわち、図９に示すように、縮尺入力制御部４０２ｅは、利用者により入力部４１６を介して縮尺値が入力されるよう制御し、入力された縮尺値を取得する（ステップＳＣ−４）。例えば、縮尺入力制御部４０２ｅは、出力部４１４と入力部４１６を連携させてスケールバー等を用いたＧＵＩを提供することにより、利用者に縮尺値を入力させてもよい。なお、スライド式のスケールバーやオブジェクト列のスケールバー等を用いる場合については上述と同様であるので説明を省略する。なお、縮尺入力制御部４０２ｅは、スケールバーを介して縮尺値を入力させることに限らず、マイク等の入力部４１６を介した音声入力や、テンキー等の入力部４１６を介した数値入力等によって、縮尺値を取得してもよい。
【０１３７】
そして、入力判定部４０２ｋは、縮尺入力制御部４０２ｅの制御による縮尺値の入力が、指定か設定かを判断する（ステップＳＣ−５）。例えば、入力判定部４０２ｋは、利用者が入力部４１６を介して縮尺値を指定（マウスオーバやシングルタップ等）したか設定（クリックやダブルタップ等）したかを判定して、判定結果の入力種別（指定または設定）を判定してもよい。
【０１３８】
縮尺値が設定ではなく指定されたと入力判定部４０２ｋにより判定されると（ステップＳＣ−５、Ｎｏ）、施設情報提供装置４００は、検索範囲設定部４０２ｆの処理により、縮尺入力制御部４０２ｅの制御により入力された縮尺値に基づいて検索範囲を設定し（ステップＳＣ−６）、施設検索部４０２ｇの処理により、検索範囲設定部４０２ｆにより設定された検索範囲内のＰＯＩをＰＯＩデータベース４０６ｂから検索し（ステップＳＣ−７）、施設情報編集部４０２ｈの処理により、施設検索部４０２ｇにより検索されたＰＯＩのＰＯＩ情報を出力用に編集する（ステップＳＣ−８）。なお、これらステップＳＣ−６〜ＳＣ−８の処理は、上述した第１の実施形態におけるステップＳＡ−９〜ＳＡ−１１までの処理と同様であるので、具体的な処理の説明を省略する。
【０１３９】
そして、施設情報出力部４０２ｊは、施設情報編集部４０２ｈにより出力用に編集されたＰＯＩ情報を、地図出力部４０２ｍの制御により出力される縮尺値指定前の地図情報上に重畳させた、表示画面を出力部４１４に出力する（ステップＳＣ−９）。なお、上述のステップＳＣ−５において、縮尺値が設定されたと入力判定部４０２ｋにより判定されると（ステップＳＣ−５、Ｙｅｓ）、地図出力部４０２ｍは、設定された縮尺値に従った地図情報を出力部４１４に出力して縮尺変更を行う（ステップＳＣ−１０）。施設情報出力部４０２ｊは、一例として、施設情報編集部４０２ｈにより編集されたＰＯＩ情報の表示要素に基づくアイコン等の描画データ等を出力部４１４に出力表示させてもよい。なお、出力部４１４に表示させたＰＯＩのアイコン等が利用者により入力部４１６を介して指定された場合、施設情報出力部４０２ｊは、当該指定されたアイコンにかかる詳細なＰＯＩ情報（ＰＯＩの名称（地点名称や施設名称等）など）やＰＯＩまでの直線距離等を更に表示させてもよい。なお、地図出力部４０２ｍは、表示する地図の中心座標を、現在位置情報取得部４０２ａによって取得される現在位置情報の更新に従って変更してもよい。
【０１４０】
以上で、第３の実施形態における施設情報提供装置４００の処理の一例の説明を終える。なお、上述したステップＳＣ−１〜ＳＣ−３およびステップＳＣ−４〜ＳＣ−１０の処理は、繰り返し実行されてもよいものである。
【０１４１】
［他の実施の形態］
さて、これまで本発明の実施の形態について説明したが、本発明は、上述した実施の形態以外にも、特許請求の範囲に記載した技術的思想の範囲内において種々の異なる実施の形態にて実施されてよいものである。
【０１４２】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１４３】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１４４】
また、端末装置１００、サーバ装置２００、および、施設情報提供装置４００に関して、図示の各構成要素は機能概念的なものであり、必ずしも物理的に図示の如く構成されていることを要しない。
【０１４５】
例えば、端末装置１００、サーバ装置２００、および、施設情報提供装置４００の各装置が備える処理機能、特に制御部１０２、制御部２０２、および、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する記録媒体に記録されており、必要に応じて端末装置１００、サーバ装置２００、および、施設情報提供装置４００に機械的に読み取られる。すなわち、ＲＯＭまたはＨＤＤなどの記憶部１０６、記憶部２０６、および、記憶部４０６などには、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１４６】
また、このコンピュータプログラムは、端末装置１００、サーバ装置２００、および、施設情報提供装置４００に対して任意のネットワーク３００を介して接続されたアプリケーションプログラムサーバに記憶されていてもよく、必要に応じてその全部または一部をダウンロードすることも可能である。
【０１４７】
また、本発明に係るプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ  Ｄｉｓｃ等の任意の「可搬用の物理媒体」を含むものとする。
【０１４８】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１４９】
記憶部１０６、記憶部２０６、および、記憶部４０６に格納される各種のデータベース等（地図データベース２０６ａ，４０６ａ、および、ＰＯＩデータベース２０６ｂ，４０６ｂ等）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１５０】
また、サーバ装置２００は、既知のパーソナルコンピュータ、ワークステーション等の情報処理装置として構成してもよく、また、該情報処理装置に任意の周辺装置を接続して構成してもよい。また、サーバ装置２００は、該情報処理装置に本発明の方法を実現させるソフトウェア（プログラム、データ等を含む）を実装することにより実現してもよい。
【０１５１】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【０１５２】
以上詳述したように、本発明によれば、所望するＰＯＩが所望の程度存在するようにＰＯＩを表示させることができる、施設情報提供装置、施設情報提供システム、サーバ装置、端末装置、施設情報提供方法、および、プログラムを提供することができるので、ナビゲーションを支援する情報機器や情報処理分野などの様々な分野において極めて有用である。
【符号の説明】
【０１５３】
１００  端末装置
１０２  制御部
１０２ａ  現在位置情報取得部
１０２ｂ  カテゴリ入力制御部
１０２ｃ  カテゴリ情報送信部
１０２ｄ  推奨縮尺情報受信部
１０２ｅ  推奨縮尺出力部
１０２ｆ  縮尺入力制御部
１０２ｇ  縮尺値送信部
１０２ｈ  施設情報受信部
１０２ｉ  施設情報出力部
１０２ｊ  入力判定部
１０４  通信制御インターフェース部
１０６  記憶部
１０８  入出力制御インターフェース部
１１２  位置取得部
１１４  出力部
１１６  入力部
２００  サーバ装置
２０２  制御部
２０２ａ  カテゴリ情報受信部
２０２ｂ  推奨縮尺算出部
２０２ｃ  推奨縮尺情報送信部
２０２ｄ  縮尺値受信部
２０２ｅ  検索範囲設定部
２０２ｆ  施設検索部
２０２ｇ  施設情報編集部
２０２ｈ  施設情報送信部
２０２ｊ  入力制御部
２０２ｋ  表示画面生成部
２０２ｍ  出力制御部
２０４  通信制御インターフェース部
２０６  記憶部
２０６ａ  地図データベース
２０６ｂ  ＰＯＩデータベース
３００  ネットワーク
４００  施設情報提供装置
４０２  制御部
４０２ａ  現在位置情報取得部
４０２ｂ  カテゴリ入力制御部
４０２ｃ  推奨縮尺算出部
４０２ｄ  推奨縮尺出力部
４０２ｅ  縮尺入力制御部
４０２ｆ  検索範囲設定部
４０２ｇ  施設検索部
４０２ｈ  施設情報編集部
４０２ｊ  施設情報出力部
４０２ｋ  入力判定部
４０２ｍ  地図出力部
４０４  通信制御インターフェース部
４０６  記憶部
４０６ａ  地図データベース
４０６ｂ  ＰＯＩデータベース
４０８  入出力制御インターフェース部
４１２  位置取得部
４１４  出力部
４１６  入力部
５００  位置発信装置
６００  外部機器
【図１】
2012163738.tif 000003
【図２】
2012163738.tif 000004
【図３】
2012163738.tif 000005
【図４】
2012163738.tif 000006
【図５】
2012163738.tif 000007
【図６】
2012163738.tif 000008
【図７】
2012163738.tif 000009
【図８】
2012163738.tif 000010
【図９】
2012163738.tif 000011